(57)【特許請求の範囲】
【請求項１】
撮像素子及びこれを実装する撮像基板を含む撮像ユニットと、
電源電池と、
制御回路を実装する主基板と、
外面を覆う略円筒形状の本体外装部と、
上記本体外装部の前面側に設けられ略円環形状に形成された前側ボディと、
上記本体外装部の背面側に設けられ略円板形状に形成された背面フレームと、
上記本体外装部の内部において上記前側ボディと上記背面フレームとの間に設けられ略直方体形状に形成された前側フレームと、
を具備し、
上記前側ボディと、上記背面フレームと、上記前側フレームとが一体に接続固定されて基本構成ユニットを形成し、
上記基本構成ユニットの内部空間には、上記撮像ユニットが配設されていることを特徴とする撮像素子付中間筒。
【請求項２】
上記基本構成ユニットの内部空間には、上記電源電池と上記主基板とが、さらに配設されていることを特徴とする請求項１に記載の撮像素子付中間筒。
【請求項３】
上記前側ボディ，上記背面フレーム，上記前側フレームは、いずれも金属部材を用いて形成されていることを特徴とする請求項１に記載の撮像素子付中間筒。
【請求項４】
上記背面フレームは、一部領域を貫通する開口孔を有しており、
上記開口孔には、上記主基板に実装された電子部品の一部が載置され、その電子部品の一部が外部に露呈していることを特徴とする請求項１に記載の撮像素子付中間筒。
【請求項５】
上記開口孔に一部が載置される電子部品は、メモリカードスロットと接続コネクタとの少なくとも一方若しくは両方であることを特徴とする請求項４に記載の撮像素子付中間筒。
【請求項６】
上記前側フレームの外面側に設けられ、上記本体外装部の内壁面に沿う円弧形状面を有して形成される複数のカバー部材を、さらに具備し、
上記複数のカバー部材は、上記前側フレームの上下左右の各部位に配設され、
上記本体外装部は、上記各カバー部材の円弧形状面を覆うように配設されることを特徴とする請求項１に記載の撮像素子付中間筒。
【請求項７】
上記撮像ユニットに隣接する位置に上記撮像基板に平行に配設された金属放熱板を、さらに具備し、
上記撮像基板と上記金属放熱板との間に放熱部材が配設されていることを特徴とする請求項１に記載の撮像素子付中間筒。
【請求項８】
上記電源電池の外面と上記背面フレームの内面との間に放熱部材が配設されていることを特徴とする請求項１に記載の撮像素子付中間筒。
【請求項９】
上記主基板と上記前側フレームとの間には放熱部材が配設されていることを特徴とする請求項１に記載の撮像素子付中間筒。
【発明の詳細な説明】
【技術分野】
【０００１】
この発明は、電源電池及び撮像素子を内蔵し撮像機能を有すると共に、交換用レンズ鏡筒を装着可能に構成された撮像素子付中間筒に関するものである。
【背景技術】
【０００２】
近年、例えばスマートフォンやタブレット型コンピュータ等の携帯型電子機器が広く普及している。これら従来の携帯型電子機器においては、例えば撮像光学系（撮像レンズ）と撮像素子等を具備し、静止画像や動画像を撮像する撮像機能を備えたカメラ部を内蔵して構成されているものがある。
【０００３】
この種の従来の携帯型電子機器は、使用者（ユーザ）が常に持ち歩き、野外や戸外等、外出先においても必要に応じて適宜使用できるように小型軽量に構成されたものが一般である。この種の携帯型電子機器の使用者（ユーザ）は、これを常に持ち歩いている一方、例えば従来の一般的なカメラ等の撮像装置（以下、単にカメラ等と略記する）を外出時に持参していないことはよくある。そのような場合にも、近年においては、上記携帯型電子機器に内蔵されるカメラ部の撮像機能を用いることによって、いつでも気軽に静止画像や動画像等の撮像を行って、所望の画像を取得することができるようになっている。
【０００４】
しかしながら、この種の携帯型電子機器に内蔵されるカメラ部は、当該電子機器の付属機能であるがために、その撮像性能は、通常のカメラ等に対して劣るものであることは否めない。
【０００５】
そこで、この種の携帯型電子機器が具備する機能のうち、例えば撮像機能や画像閲覧機能等を補助したり、それらの機能を代替する機能を備えた各種のアクセサリ機器についての種々の提案が、従来よりなされており、また実用化されている。
【０００６】
従来の携帯型電子機器に取り付けて使用するアクセサリ機器としては、例えば一般的なカメラ等に適用される高性能な撮像素子及び撮像レンズをユニット化した撮像素子付レンズユニットや、従来一般のレンズ交換式カメラ用に供給されている交換用レンズ鏡筒を装着可能に構成し高性能な撮像素子を備えた撮像素子付中間筒等がある。これらのアクセサリ機器は、対応する携帯型電子機器の撮像機能等を代替するアクセサリ機器として機能するものである。
【０００７】
上記従来の撮像素子付レンズユニットや撮像素子付中間筒等においては、それ自身が撮像機能を有して構成されており、単体で動作したり、若しくは上記携帯型電子機器等の他の外部電子機器を用いて遠隔操作され得るように構成されているのが一般である。そのために、従来のこの種の撮像素子付レンズユニットや撮像素子付中間筒等においては、当該機器を駆動し制御するための内部構成ユニットに対し電力を供給する電力供給源（即ち電源）となる電源電池、例えば充電式バッテリ等を本体内の所定の部位に内蔵されているのが一般である。
【０００８】
例えば、特許第５５４１４３１号公報によって開示されている撮像装置（撮像素子付レンズユニット）は、背面側に向けて開閉自在に構成した蓋部材を設けると共に、この蓋部材を開状態としたときに外部に露呈する内部空間部位を電池収納室として構成している。これにより、当該電池収納室に対して上記蓋部材を開閉することによって、所定の充電式バッテリを容易に着脱自在し得るように構成されている。
【先行技術文献】
【特許文献】
【０００９】
【特許文献１】特許第５５４１４３１号公報
【発明の概要】
【発明が解決しようとする課題】
【００１０】
ところが、上記特許第５５４１４３１号公報等によって開示されている撮像素子付レンズユニット（撮像装置）においては、充電式バッテリを着脱式に構成しており、機器の背面側に設けた電池収納室の蓋部材は簡単に開閉し得る構造となっている。したがって、例えば当該機器の使用時や携帯時等に、その使用者（ユーザ）が誤って落下させてしまったり、壁等に衝突させてしまう等によって、当該機器に対して意図しない衝撃力が加わった場合、当該機器の前面側に設けられる撮像レンズ等を含め当該機器の内部構成部材の重量が背面側に配設した電源電池（バッテリ）及び蓋部材等に集中して加わってしまうことになる。そのような場合、例えば電源電池（バッテリ）や蓋部材等を破損させたり損傷させてしまう等の問題点がある。
【００１１】
また、従来一般的には、この種の機器における上記蓋部材等を含む外装部材としては、樹脂成形品により構成されるのが普通である。この場合、電源電池（バッテリ）等のほか、内部構成部材のうち発熱しやすい構成部材、例えば撮像素子を含む撮像ユニットや、電気基板上に実装され制御回路等を構成する各種の電子部品等から生じる発熱を効率よく外部へ放出（放熱）させるための様々な工夫が必要となっている。
【００１２】
本発明は、上述した点に鑑みてなされたものであって、その目的とするところは、電源電池及び撮像素子を内蔵し撮像機能を有すると共に、交換用レンズ鏡筒を装着可能に構成された撮像素子付中間筒において、電源電池や撮像素子等を内部の所定空間に確実かつ安全に配設し得ると共に、上記電源電池や電気基板上に実装された撮像素子等の各種電子部品等から生じる発熱を効率よく外部へ放熱させ得る構造を備えた撮像素子付中間筒を提供することである。
【課題を解決するための手段】
【００１３】
上記目的を達成するために、本発明の一態様の撮像素子付中間筒は、撮像素子及びこれを実装する撮像基板を含む撮像ユニットと、電源電池と、制御回路を実装する主基板と、外面を覆う略円筒形状の本体外装部と、上記本体外装部の前面側に設けられ略円環形状に形成された前側ボディと、上記本体外装部の背面側に設けられ略円板形状に形成された背面フレームと、上記本体外装部の内部において上記前側ボディと上記背面フレームとの間に設けられ略直方体形状に形成された前側フレームとを具備し、上記前側ボディと、上記背面フレームと、上記前側フレームとが一体に接続固定されて基本構成ユニットを形成し、上記基本構成ユニットの内部空間には、上記撮像ユニットが配設されている。
【発明の効果】
【００１４】
本発明によれば、電源電池及び撮像素子を内蔵し撮像機能を有すると共に、交換用レンズ鏡筒を装着可能に構成された撮像素子付中間筒において、電源電池や撮像素子等を内部の所定空間に確実かつ安全に配設し得ると共に、上記電源電池や電気基板上に実装された撮像素子等の各種電子部品等から生じる発熱を効率よく外部へ放熱させ得る構造を備えた撮像素子付中間筒を提供することができる。
【図面の簡単な説明】
【００１５】
【図１】本発明の一実施形態の撮像素子付中間筒を含む撮像システム全体を示す外観斜視図
【図２】図１の撮像システムにおいて、レンズ鏡筒に向かって右側の側面を示す右側面図
【図３】本発明の一実施形態の撮像素子付中間筒を示す外観斜視図
【図４】図３の撮像素子付中間筒の六面図（符号［４Ａ］は正面図、符号［４Ｂ］は上面図、符号［４Ｃ］は底面図、符号［４Ｄ］は左側面図、符号［４Ｅ］は右側面図、符号［４Ｆ］は背面図）
【図５】図３の撮像素子付中間筒に装着されるストラップ取付用吊金具の四面図（符号［５Ａ］は平面図、符号［５Ｂ］は取付面の平面図、符号［５Ｃ］は吊金具側の平面図、符号［５Ｄ］は側面図）
【図６】本発明の一実施形態の撮像素子付中間筒に使用する取付用アダプタ（の閉状態時）の六面図（符号［６Ａ］は正面図、符号［６Ｂ］は上面図、符号［６Ｃ］は底面図、符号［６Ｄ］は左側面図、符号［６Ｅ］は右側面図、符号［６Ｆ］は背面図）
【図７】図３の撮像素子付中間筒の内部構造の一部を示す右側面図
【図８】図７の背面側から見た斜視図
【図９】図７の前面側から見た斜視図
【図１０】図３の撮像素子付中間筒における本体部の内部の上面部位に設けられた固定部材とレリーズ操作部材とを取り出して示す要部拡大斜視図
【図１１】図１０のレリーズ操作部材のみを取り出して、その内面側の構造を示す斜視図
【図１２】図３の撮像素子付中間筒においてレリーズ操作部材を含むＹＺ平面における断面の一部を拡大して示す要部拡大断面図
【図１３】図３の撮像素子付中間筒においてレリーズ操作部材を含むＸＹ平面における断面の一部を拡大して示す要部拡大断面図
【図１４】図３の撮像素子付中間筒の基本構成ユニットのみを取り出して背面寄りの位置から見たようすを示す斜視図
【図１５】図３の撮像素子付中間筒において、本体部とアダプタ装着部を取り外した状態の撮像素子付中間筒を背面寄りの位置から見たようすを示す斜視図
【図１６】図３の撮像素子付中間筒において、アダプタ装着部の蓋部を取り外した状態を示す分解斜視図
【図１７】図３の撮像素子付中間筒において、アダプタ装着部を取り外した状態の背面図
【図１８】図４の［１８］−［１８］線に沿う断面図
【図１９】図４の［１９］−［１９］線に沿う断面図
【発明を実施するための形態】
【００１６】
以下、図示の実施の形態によって本発明を説明する。以下の説明に用いる各図面は模式的に示すものであり、各構成要素を図面上で認識可能な程度に示すために、各部材の寸法関係や縮尺等を各構成要素毎に異ならせて示している場合がある。したがって、本発明は、これら各図面に記載された構成要素の数量，構成要素の形状，構成要素の大きさの比率，各構成要素の相対的な位置関係等に関し図示の形態のみに限定されるものではない。
【００１７】
［撮像システム全体の概略構成］
まず、本発明の一実施形態の撮像素子付中間筒を含む撮像システムの全体構成を図１，図２に示す。図１，図２は、本発明の一実施形態の撮像素子付中間筒を含む撮像システム全体を示す図である。このうち、図１は外観斜視図である。図２はレンズ鏡筒側正面に向かって右側の側面を示す右側面図である。なお、図１，図２は、本発明の一実施形態の撮像素子付中間筒を含む撮像システムの一形態を示すものである。
【００１８】
図１，図２に示すように、取付用アダプタ４は、アクセサリ機器であり撮像装置として機能する本実施形態の撮像素子付中間筒１と、他の構成ユニットであり通信機能，制御機能及び画像表示機能を備えた携帯型電子機器３とを略一体に接続するための機器接続用構成ユニットである。ここで、上記撮像素子付中間筒１の前面にレンズ鏡筒７を装着すれば一つの撮像装置として機能する撮像システム８が構築される。
【００１９】
こうして構築される撮像システム８は、上記各種の構成ユニットを組み合わせて構築されることによって、従来一般に普及しているデジタルカメラ等の撮像装置等と略同等の撮像機能や画像及び情報表示機能等に加えて、取得した画像データ等を各種形態の無線通信回線を利用して外部へ伝送する機能等をも具備して構成される撮像システムとなっている。
【００２０】
なお、以下の説明においては、図１に示すように、レンズ鏡筒７の撮像光学系の光軸Ｏに沿う方向をＺ軸というものとする。また、このＺ軸に直交する方向であって撮像素子付中間筒１の上下方向をＹ軸というものとし、同様に左右方向をＸ軸というものとする。
【００２１】
ここで、取付用アダプタ４は、異なる二種類の機器、例えばアクセサリ機器であり撮像機器である撮像素子付中間筒１と、制御機器であり表示機器である携帯型電子機器３との間に介在して、両者（撮像素子付中間筒１及び携帯型電子機器３）を一体に接続するための構成ユニットとして機能している。つまり、取付用アダプタ４は、アクセサリ機器である撮像素子付中間筒１を既存の携帯型電子機器３に取り付けるための接続用の装着装置である。そのために、取付用アダプタ４は、図１，図２に示すような撮像システムとして使用する時には、前面側に撮像素子付中間筒１を装着した状態で、背面側に携帯型電子機器３を挟持して保持し得るように構成されている。なお、本実施形態の取付用アダプタ４の構成については後述する（図６参照）。
【００２２】
撮像素子付中間筒１は、従来のデジタルカメラ等の撮像装置と略同等機能を具備するアクセサリ機器である。そのために、この撮像素子付中間筒１は、内部に撮像素子１１（図１参照）等を含む撮像ユニットや電源電池としての充電式バッテリ（不図示；後述する図１８，図１９等を参照）等を備え、前面にレンズ鏡筒７を装着するためのマウント部であるマウントリング１２を有し、背面に上記取付用アダプタ４を装着するアダプタ装着部１９を備えて構成されている。
【００２３】
なお、上記マウントリング１２のマウント面１２ａ（図１参照）には、外部に向けて突没自在に設けられるロックピン３０が配設されている。このロックピン３０は、当該撮像素子付中間筒１の前面に装着された状態のレンズ鏡筒７の回動を規制して、その装着状態を維持するために設けられるロック機構の一部を構成する部材である。本実施形態の撮像素子付中間筒１のその他の構成については後述する（図３〜図５，図７〜図１９参照）。
【００２４】
レンズ鏡筒７は、従来のレンズ交換式カメラ用に一般に供給されている交換用レンズ鏡筒である。なお。図１，図２に示すレンズ鏡筒７は、従来の交換用レンズ鏡筒の一形態を単に例示するものである。このレンズ鏡筒７は、被写体像を結像させる撮像７ｂ（図１参照）及びこれを駆動する駆動機構や駆動回路等（不図示）を有している。また、レンズ鏡筒７の背面には、上記撮像素子付中間筒１のマウントリング１２に連結されるレンズマウント７ａ（図２参照）を備えて構成されている。これにより、レンズ鏡筒７は、上記撮像素子付中間筒１の前面に着脱自在に構成されている。
【００２５】
なお、当該レンズ鏡筒７は、上述したように、従来のレンズ交換式カメラ用に一般に供給されている各種の交換用レンズ鏡筒を適用するものとしている。したがって、レンズ鏡筒７の構成については、従来の交換用レンズ鏡筒と同様の構成を備えているものとして、その詳細構成の説明及び図示は省略する。
【００２６】
携帯型電子機器３は、例えば使用者（ユーザ）が片手で取り扱い得る程度の筐体サイズを有し、全体として略板形状に形成される携帯型電子機器である。この携帯型電子機器３は、例えば４〜５．５インチ型程度の表示用パネル等を含み画像情報表示機能を有する画像表示ユニット（画像表示部）や、各種形態の通信機能（無線通信；無線LAN，Wi-Fi（Wireless Fidelity；ワイファイ），Ｂluetooth（ブルートウース），NFC（Near Field Communication）等。有線通信；USBケーブル経由の通信等）を実現する通信ユニット（通信部）等を内部に有すると共に、画像信号や通信信号等の信号処理を行う信号処理回路や各構成ユニットの制御を行う制御回路（制御部）等を具備する携帯型の小型電子機器である。
【００２７】
この携帯型電子機器３は、上記撮像素子付中間筒１と無線通信を用いて連携することで、当該撮像素子付中間筒１の制御を行う制御機器として機能したり、当該撮像素子付中間筒１にて取得した画像データを受信して、その受信した画像データに基く画像を表示パネルに表示する（画像再生表示に加えライブビュー表示等も含む）画像表示装置として機能する。携帯型電子機器３としては、具体的には、いわゆるスマートフォン等と呼ばれる高機能型携帯電話機等を適用することを想定しているが、これに限らず、同等機能を備える電子機器であれば他の形態のものでも適用可能である。
【００２８】
なお、当該撮像システムに適用し得る携帯型電子機器３は、従来一般に普及している各種の形態の携帯型電子機器（スマートフォン等）を適用することができる。つまり、使用者（ユーザ）は、当該撮像システムを構築するのに際して、既存の携帯型電子機器３、即ち既に入手済みで使用中の各種形態の携帯型電子機器３を択一的に使用することができるものとしている。したがって、携帯型電子機器３の構成については、従来の携帯型電子機器と同様の構成を備えているものとして、その詳細構成の説明及び図示は省略する。
【００２９】
以上のように構成される上記撮像システムは、撮像素子付中間筒１にレンズ鏡筒７を装着した状態の撮像用主要ユニットと、既存の携帯型電子機器３とを、取付用アダプタ４を介在させ一体の撮像システムとなるように構成したものである。
【００３０】
そして、この撮像システムにおいては、携帯型電子機器３と撮像素子付中間筒１との間で無線通信を行うことによって、携帯型電子機器３の制御回路による上記撮像用主要ユニットの制御を行って、撮像動作をはじめとした各種の動作を遠隔的に実行させることができるように構成されている。具体的には例えば、携帯型電子機器３から各種の制御信号を送信して上記撮像素子付中間筒１を制御したり、当該撮像素子付中間筒１を介してレンズ鏡筒７の駆動制御を行ったり、若しくは、撮像素子付中間筒１によって取得された画像データを携帯型電子機器３へと送信させて、この携帯型電子機器３の画像表示部に画像を表示させる等といったことが可能になる。
【００３１】
なお、上述した形態の撮像システムは、撮像素子付中間筒１にレンズ鏡筒７を装着した状態の撮像用主要ユニットと、既存の携帯型電子機器３とを、取付用アダプタ４を介して一体となるように構成した状態で、従来の撮像装置と同等の機能を備えるシステムとして説明したが、このような使用形態に限られることはない。
【００３２】
例えば、上述したように上記撮像素子付中間筒１と携帯型電子機器３とは、無線通信によって制御信号や画像データ等の送受信を行うようにしている。したがって、各構成ユニットが一体的に接続されている形態でなくとも撮像システムとして使用することができる。即ち、レンズ鏡筒７を装着した撮像素子付中間筒１（撮像用主要ユニット）と、既存の携帯型電子機器３とを切り離した状態でも、両者は無線通信にて接続されることになるので、各種の制御やデータ送受は可能であり、この状態でも撮像システムとして使用可能である。このような使用形態の場合には、上記取付用アダプタ４は、上記撮像素子付中間筒１の背面側に装着した状態で格納状態とすることができ、操作感や使用感を損なうこと無く使用できる。
【００３３】
［撮像素子付中間筒の構成］
次に、本実施形態の撮像素子付中間筒１の構成を、主に図３〜図５，図７〜図１９を用いて以下に説明する。
【００３４】
［撮像素子付中間筒の概略構成］
まず、撮像素子付中間筒１の概略構成を、図３〜図５を用いて以下に説明する。図３は、本発明の一実施形態の撮像素子付中間筒を示す外観斜視図である。図４は、図３の撮像素子付中間筒の六面図である。このうち符号［４Ａ］は正面図、符号［４Ｂ］は上面図、符号［４Ｃ］は底面図、符号［４Ｄ］は左側面図、符号［４Ｅ］は右側面図、符号［４Ｆ］は背面図をそれぞれ示している。図５は、図３の撮像素子付中間筒に装着されるストラップ取付用吊金具の四面図である。このうち符号［５Ａ］は平面図、符号［５Ｂ］は取付面の平面図、符号［５Ｃ］は吊金具側の平面図、符号［５Ｄ］は側面図をそれぞれ示している。
【００３５】
図３に示すように、本実施形態のアクセサリ機器である撮像素子付中間筒１は、内部に撮像素子１１（図３，図４［４Ａ］参照）及びこれを駆動する駆動回路等を含む撮像ユニットや電源電池であるバッテリ（不図示；後述する）等を備えている。
【００３６】
また、上述したように、撮像素子付中間筒１は、前面に交換用レンズ鏡筒７（図３等では不図示；図１，図２参照）を装着するためのマウントリング１２を有している。なお、マウントリング１２のマウント面１２ａの所定の位置には、マウント指標１２ｂ（図３，図４［４Ａ］参照）が設けられている。このマウント指標１２ｂは、レンズ鏡筒７を当該撮像素子付中間筒１に装着する時の装着位置を示す指標となっている。
【００３７】
このような構成により、当該撮像素子付中間筒１は、従来のレンズ交換式カメラ用に一般に供給されている交換用レンズ鏡筒を着脱可能とし、複数の各種交換用レンズ鏡筒を択一的に装着して利用することができるように構成されている。そして、当該撮像素子付中間筒１は、背面に上記取付用アダプタ４を装着するアダプタ装着部１９を備えて構成されている。
【００３８】
撮像素子付中間筒１は、全体として略円筒形状からなり本体外装部となる本体部１０と、この本体部１０の内部構成部材（不図示；後述する撮像ユニット等）と、同本体部１０の外面上に設けられる構成部材（各種操作部材等）によって構成されている。
【００３９】
本体部１０は、略円筒形状に形成され、そのＺ軸方向（図３参照）の一方である前面側に開口１０ａを有し、他方の背面側を閉塞した形態に形成されている。本体部１０の内部には、上述したように撮像素子１１及びこれを駆動する駆動回路等を含む撮像ユニットや、当該撮像素子付中間筒１の全体を統括的に制御する制御回路等や、撮像素子１１によって取得された画像信号及び上記携帯型電子機器３等の外部機器との間で行われる各種形態の通信信号等の信号処理等を行う信号処理回路等が配設されている（詳細後述）。
【００４０】
なお、上記撮像素子１１としては、例えばＣＣＤ（Charge Coupled Device；電荷結合素子）イメージセンサーやＣＭＯＳ（Complementary Metal Oxide Semiconductor；相補性金属酸化膜半導体）型イメージセンサ等の光電変換素子等、従来実用化されている一般的な形態のものが適用される。
【００４１】
本体部１０の開口１０ａには、当該撮像素子付中間筒１に装着される交換用レンズ鏡筒７（図３等では不図示；図１，図２参照）との間で機械的な接続を確保するマウントリング１２が配設されている。本体部１０の内部において、上記マウントリング１２の内周縁部近傍には、当該撮像素子付中間筒１に装着される交換用レンズ鏡筒７と当該撮像素子付中間筒１の内部電子回路との間の電気的な接続を確保するための複数の電気接点１３が配設されている。なお、当該撮像素子付中間筒１の内部に配設される撮像素子１１は、その受光面が上記開口１０ａに向けて配設されている。
【００４２】
本体部１０の外面上には各種の操作部材が設けられている。例えば、本体部１０の外面上において、上面（図４の符号［４Ｂ］参照）には撮像操作を行う際のレリーズスイッチに連動するレリーズ操作部材１５と、電源スイッチに連動する電源操作部材１７とが配設されている。
【００４３】
また、本体部１０の右側面（図４の符号［４Ｅ］参照）には、当該撮像素子付中間筒１の前面に装着される交換用レンズ鏡筒７（図１，図２参照）を取り外す際の操作部材であるレンズ取外用操作ボタン１４と、当該撮像素子付中間筒１の背面に装着される取付用アダプタ４（図３，図４では不図示；図１，図２参照）を取り外す際のアダプタ取外用操作ボタン１８とが配設されている。
【００４４】
上記レンズ取外用操作ボタン１４は、上記マウントリング１２のマウント面１２ａから外部に向けて先端側の所定の長さ領域が突没自在に設けられるロックピン３０に連動する操作部材である。ここで、レンズ取外用操作ボタン１４とロックピン３０等は、当該撮像素子付中間筒１の前面に装着されている交換用レンズ鏡筒７の回転ロック状態を解除するためのレンズロック解除機構を構成している。このレンズロック解除機構の詳細構成については図７〜図９を用いて後述する。
【００４５】
上記アダプタ取外用操作ボタン１８は、アダプタ装着部１９の表面から外部に向けて先端側の所定の長さ領域が突没自在に設けられるストッパピン３１（図４の［４Ｅ］［４Ｆ］参照）に連動する操作部材である。ここで、アダプタ取外用操作ボタン１８とストッパピン３１等は、当該撮像素子付中間筒１の背面に取り付けられた取付用アダプタ４（図３等では不図示；図１，図２参照）を取り外すために、レンズ鏡筒７の回転ロック状態を解除するアダプタロック解除機構を構成している。このアダプタロック解除機構の詳細構成については図７〜図９を用いて後述する。
【００４６】
一方、本体部１０の両側面（符号［４Ｄ］，［４Ｅ］参照）のそれぞれには、ストラップ取付用吊金具１００（図３では不図示；図５参照）を着脱自在に配設するための吊金具装着部１６が形成されている。また、本体部１０の底面（符号［４Ｃ］参照）には三脚ネジ穴２０が形成されている。
【００４７】
ここで、ストラップ取付用吊金具１００について図５を用いて説明する。このストラップ取付用吊金具１００は、ストラップ（吊り紐）等を取り付けるための吊り金具であって、本体部１０の吊金具装着部１６に嵌合し、所定のロック機構を備えた吊金具本体１０２と、ストラップ（吊り紐）等を通すためのループ状吊金具１０１等によって構成されている。
【００４８】
当該ストラップ取付用吊金具１００のロック機構は、次のように構成されている。即ち、上記吊金具本体１０２の先端部には、吊金具本体１０２の軸方向に対して直交する方向（即ち吊金具本体１０２の径方向に向けて）に付勢部材（不図示）によって付勢される係合爪部１０２ａが形成されている。この係合爪部１０２ａの先端側は、その断面が先端に向けて斜度を有するテーパー状に形成されている。これに対して、上記本体部１０側の吊金具装着部１６には、内部に周溝（不図示）が形成されている。
【００４９】
ここで、吊金具装着部１６の穴径は、吊金具本体１０２の係合爪部１０２ａの外径よりも若干小径に形成されている。また、上記内部周溝の直径は、上記吊金具装着部１６の穴径よりも若干大径に形成されている。
【００５０】
したがって、このような構成により、吊金具本体１０２を上記本体部１０側の吊金具装着部１６に挿入すると、係合爪部１０２ａは、先端テーパー部が吊金具装着部１６の内壁面に摺動しつつ付勢力に抗して縮径する。これにより、吊金具装着部１６の穴径よりも大径の係合爪部１０２ａでも吊金具装着部１６に挿入させることができる。そして、係合爪部１０２ａが吊金具装着部１６の内部周溝に到達すると、係合爪部１０２ａは自身の付勢力によって縮径状態から元の形態に復帰する。こうして係合爪部１０２ａが吊金具装着部１６の内部周溝に嵌合すると、当該ストラップ取付用吊金具１００は吊金具装着部１６に対して抜去しない状態で装着される。
【００５１】
また、装着状態のストラップ取付用吊金具１００を吊金具装着部１６から抜去するには、例えばストラップ取付用吊金具１００の吊金具本体１０２の頭部１０２ｂを本体部１０側に押圧若しくは引っ張る操作を行なうことで、係合爪部１０２ａを付勢力に抗して縮径させることができる。したがって、これにより係合爪部１０２ａと吊金具装着部１６の内部周溝との嵌合状態が解除されるので、ストラップ取付用吊金具１００を引き抜くことができる。
【００５２】
なお、ストラップ取付用吊金具１００の構成は、従来一般に普及している電子機器において適用されているものと略同様のものが採用されているものとして、これ以上の詳細説明は省略する。また、上述した形態のものに限られることは無く、例えばネジ等を利用した形態のものとしてもよい。
【００５３】
図４に戻って、本体部１０の背面側（符号［４Ｆ］参照）には、当該撮像素子付中間筒１の背面に対して取付用アダプタ４（図１，図２参照）の前面を接続し固定するための接続部となるアダプタ装着部１９が形成されている。このアダプタ装着部１９は、本実施形態の取付用アダプタ４の前面側接続部が係合するように、断面が略テーパ状に後方に向けて突出する突形状に形成されている。このアダプタ装着部１９の外面上であってその外周縁部には、本実施形態の取付用アダプタ４を当該撮像素子付中間筒１に着脱自在とするための着脱機構の一部を構成する複数のバヨネット爪１９ａが形成されている（図４参照）。本実施形態においてバヨネット爪１９ａは、円周方向に角度略９０度間隔に４箇所配設した例を示している。これら複数（４つ）のバヨネット爪１９ａは、本実施形態の取付用アダプタ４の前面側接続部の外周縁部に形成されるバヨネット嵌合部４１（後述する図６等参照）に対してバヨネット結合する構成部位である。
【００５４】
なお、当該撮像素子付中間筒１の背面（図４の符号［４Ｆ］参照）には、当該撮像素子付中間筒１と外部機器（例えば上記携帯型電子機器３等）との間で行われる無線通信の使用状態をオンオフするための無線スイッチに連動する無線オンオフ用操作部材２２と、他の外部機器との間で有線ケーブル（例えばＵＳＢケーブル等）を介して電気的な接続を確保して各種データの伝送を行ったり、外部電源装置からの電力をバッテリ等へと供給するための接続コネクタ２３等が配設されている。なお、この接続コネクタ２３としては、例えばミニＵＳＢコネクタ若しくはマイクロＵＳＢコネクタ等といった一般的な規格品が適用されている。
【００５５】
また、撮像素子付中間筒１の本体部１０の外周面上において、例えば図１〜図４等に示すように、当該撮像素子付中間筒１の一側面の後端寄り縁部近傍に指標１０ｘが設けられている。この指標１０ｘは、当該撮像素子付中間筒１に取付用アダプタ４を装着する際の装着位置の位置決め用に設けられた指標である。当該指標１０ｘは、例えばシール，刻印，モールド成型等を用い、例えば白色，赤色等の着色を施すことで、使用者（ユーザ）が容易に視認し得るような形態で形成されている。指標１０ｘは、本体部１０の外周面上において、所定の位置に少なくとも１箇所設けられていればよい。
【００５６】
上記指標１０ｘに対応させて、取付用アダプタ４側には、その外周面上の所定の部位に、図１，図２及び後述する図６等に示すように、当該取付用アダプタ４を上記撮像素子付中間筒１に装着する際の装着位置の位置決め用の指標が設けられている。取付用アダプタ４側における位置決め用指標としては、上記撮像素子付中間筒１側の指標１０ｘに対応する第１指標４０ｘと、この第１指標４０ｘの近傍に設けられ当該取付用アダプタ４と撮像素子付中間筒１との装着状態を示す第２指標４０ｙが設けられている。これら両指標４０ｘ，４０ｙは、上記指標１０ｘと同様に、例えばシール，刻印，モールド成型等を用い、例えば白色，赤色等の着色を施すことで、使用者（ユーザ）が容易に視認し得るような形態で形成されている。ここで、第１指標４０ｘと第２指標４０ｙとは、例えば形状，色等を異ならせて示されている。例えば、第１指標４０ｘは、上記指標１０ｘと同形状（図示の例では矩形状）で同色で形成し、第２指標は、上記指標１０ｘと異なる形状（図示の例では丸形状）の異なる色で形成されている。
【００５７】
このように、撮像素子付中間筒１と取付用アダプタ４との双方に、所定の指標を設けることによって、両者を結合させる際の相対的な位置決めを容易に行うことができる。即ち、撮像素子付中間筒１に取付用アダプタ４を装着する際には、まず、指標１０ｘと第１指標４０ｘが合致するように両者を対向配置する。すると、取付用アダプタ４側のバヨネット嵌合部４１が撮像素子付中間筒１側のバヨネット爪１９ａの近傍に配置される。この状態で、取付用アダプタ４と撮像素子付中間筒１とを相対的に回転させる。すると、バヨネット嵌合部４１がバヨネット爪１９ａに嵌合する。そして、両者が完全に嵌合状態となった時に、撮像素子付中間筒１側の指標１０ｘは、図１，図２等に示すように、取付用アダプタ４側の第２指標４０ｙに合致する。これにより、使用者（ユーザ）は、撮像素子付中間筒１と取付用アダプタ４とが正規の装着状態になったことを、視覚的に確認することができる。
【００５８】
なお、上述したように、本実施形態において、撮像素子付中間筒１と取付用アダプタ４とのバヨネット結合は、４つのバヨネット爪１９ａと４つのバヨネット嵌合部４１とを嵌合させることにより実現している。この場合において、上記バヨネット爪１９ａとバヨネット嵌合部４１との嵌合部位は、円周方向に角度略９０度毎に設けられている。
【００５９】
したがって、この構成から、取付用アダプタ４に対する撮像素子付中間筒１の取り付け位置は、４箇所で可能となる。具体的には例えば、図１に示すように、撮像素子１１が横長形態で配置されるように撮像素子付中間筒１を取付用アダプタ４に装着する通常の形態のほかにも、図示していないが撮像素子１１が縦長形態で配置されるように撮像素子付中間筒１を取付用アダプタ４に装着する形態とすることも可能である。そこで、撮像素子付中間筒１と取付用アダプタ４との複数の装着形態に対応するために、指標１０ｘを、例えば本体部１０の外周面上において円周方向に角度略９０度毎に全部で４箇所設けるようにしてもよい。
【００６０】
この場合においては、複数設けた撮像素子付中間筒１側の指標１０ｘに対応させて、上記第１指標４０ｘ，第２指標４０ｙも対応する位置に同数設けるようにすればよい。
【００６１】
［取付用アダプタの概略構成］
次に、本実施形態の撮像素子付中間筒１に使用される取付用アダプタ４の概略構成を、主に図６を用いて以下に説明する。図６は、本実施形態の撮像素子付中間筒１に使用される取付用アダプタ（閉状態時）の六面図である。このうち符号［６Ａ］は正面図、符号［６Ｂ］は上面図、符号［６Ｃ］は底面図、符号［６Ｄ］は左側面図、符号［６Ｅ］は右側面図、符号［６Ｆ］は背面図をそれぞれ示している。
【００６２】
取付用アダプタ４は、上述したように（図１，図２参照）、複数機器によってなる撮像システムを構築するのに際して、機器同士の間を接続するための構成ユニットである。具体的な例を挙げると、例えば、前面側の接続部に撮像素子付中間筒１を装着し、背面側に携帯型電子機器３を挟持する形態で、これを保持し得るように構成される機器装着装置である。
【００６３】
本実施形態において、上記取付用アダプタ４を用いて上記撮像素子付中間筒１を前面側に装着し、背面側に携帯型電子機器３を取り付けた場合、携帯型電子機器３は、撮像素子付中間筒１に取り付けられたレンズ鏡筒７の光軸Ｏに対して画像表示面が傾いた状態で保持されるように構成されている（図１，図２等参照）。
【００６４】
図６に示すように、上記取付用アダプタ４は、第１の本体部であるアダプタ本体４０と、第２の本体部である支持蓋４６とによって構成されている。ここで、アダプタ本体４０と支持蓋４６とは、蝶番部を構成する支軸４７（図６符号［６Ｆ］参照）によって互いに回動自在に軸支されている。このような構成により、本実施形態の取付用アダプタ４は、不使用時の閉状態と、使用時の開状態とに変位するように構成されている。ここで、不使用時の閉状態とは、アダプタ本体４０（第１の本体部）の背面側（他面）に支持蓋４６（第２の本体部）の前面側が対向配置されて重ね合わされた状態である。また、使用時の開状態とは、アダプタ本体４０（第１の本体部）と支持蓋４６（第２の本体部）とが蝶番部を回動中心として所定の角度を有して配置される状態である。図示は省略するが、本実施形態の取付用アダプタ４においては、使用時の開状態とした時には、支持蓋４６の開角度が異なる二態様に設定することができるように構成されている。
【００６５】
なお、上記支軸４７の一部は、外部に露呈するように配設されている。この場合において、支軸４７の露呈部分には、例えば吊り紐（ストラップ）を通すことができるように構成されている。このような構成とすることで、当該支軸４７は、アダプタ本体４０と支持蓋４６との蝶番部における支持軸として機能すると同時に、ストラップ取付部としても機能するように構成されている。
【００６６】
アダプタ本体４０は、前面側の接続部に上記撮像素子付中間筒１の背面の上記アダプタ装着部１９（図２，図４等を参照）との間でバヨネット結合し得るように構成されている。そのための構成として、アダプタ本体４０の前面側の内周縁部には、接続部として複数のバヨネット嵌合部４１が形成されている。この複数のバヨネット嵌合部４１は、上述したように、アダプタ装着部１９の複数（４箇所）のバヨネット爪１９ａに係合するバヨネット結合部である。本実施形態においては、上記複数のバヨネット嵌合部４１は、上記複数のバヨネット爪１９ａの位置及び配置数（４箇所）に合わせて、アダプタ本体４０の円周方向に角度略９０度の間隔を置いて４箇所形成されている。
【００６７】
また、アダプタ本体４０において、上記支持蓋４６との連結部位（蝶番部）に対して周方向に角度略１８０度回転した部位、即ち当該取付用アダプタ４の中心軸Ｏ１（光軸Ｏに一致する点；図６の符号［６Ａ］，［６Ｆ］参照）を挟んで対向する側の外周縁部に、当該アダプタ本体４０が開状態とされる使用状態にされた時に上記携帯型電子機器３の外縁部の一部位（具体的には携帯型電子機器３の側面の一方（一側面部））に当接して、これを保持する第１保持腕４３（図６では不図示；図２参照）が後方に向けて突設されている。この第１保持腕４３は、先端が鉤状（フック形状）に形成されていて、かつ内側表面に滑り止め部材としての弾性ゴム部材等からなる弾性体５５（図６には不図示；図２参照）を貼着した保持部４３ａが配設されている。これにより、第１保持腕４３は、上記携帯型電子機器３の外縁部の一部を保持し、上記弾性体５５が上記携帯型電子機器３の外縁エッジ部の一部に当接することによって、確実に携帯型電子機器３を保持し得るように構成されている。
【００６８】
さらに、アダプタ本体４０は、閉状態にある当該取付用アダプタ４を開状態へと変位させるための操作部材である開操作ボタン４２が複数配設されている。ここで、本実施形態においては、開操作ボタン４２を二つ設けた例を示している。具体的には、開操作ボタン４２は、当該取付用アダプタ４を正面（図６［６Ａ］）若しくは背面（図６［６Ｆ］）から見た時に上記第１保持腕４３を挟むようにして、当該第１保持腕４３の近傍に配設されている。そして、上記二つの開操作ボタン４２は、アダプタ本体４０の外周面上から径方向に向けて突没可能に配設されている。
【００６９】
支持蓋４６は、アダプタ本体４０に対して回動自在に設けられ、アダプタ本体４０に対して開状態とされた時には、上記携帯型電子機器３の外縁部の他の一部（具体的には携帯型電子機器３の側面の一方に対向する他方の側面（他側面部））を保持する支持部となり、上記携帯型電子機器３を取り外した時には、アダプタ本体４０に対して閉状態とされることによって不使用時における格納状態とすることができるように構成されている。
【００７０】
支持蓋４６は、図６等に示すように、ヒンジ腕部４６ａに挿通配置されている支軸４７によって、アダプタ本体４０に対して回動自在に軸支されている。上記支軸４７は、アダプタ本体４０側の固定部分４０ａに対し両端が固設されている。そして、支持蓋４６において、上記アダプタ本体４０との連結部位（蝶番部）に対して周方向に角度略１８０度回転した部位、即ち当該取付用アダプタ４の中心軸Ｏ１（光軸Ｏに一致する点；図６の符号［９Ａ］，［９Ｆ］参照）を挟んで対向する側の外周縁部には、第２保持腕４８の先端フック部４８ａが配設されている。第２保持腕４８の先端部位の先端フック部４８ａは、当該取付用アダプタ４が開状態とされる使用状態にされた時に、上記携帯型電子機器３の外縁部の他の一部（他側面部）に当接することによって、これを確実に保持し得るように構成されている。そのために、上記先端フック部４８ａは、鉤（フック）状に形成されていて、かつ内側表面に滑り止め部材としての弾性ゴム部材等からなる弾性体５６（図６参照）が貼着されている。これにより、第２保持腕４８の先端フック部４８ａは、上記携帯型電子機器３の外縁部の他の一部（他側面部）を保持し、上記弾性体５６が上記携帯型電子機器３の外縁エッジ部の他の一部（他側面部）に当接することによって、確実に携帯型電子機器３を保持し得るように構成されている。
【００７１】
また、当該取付用アダプタ４が閉状態とされた時には、上記第２保持腕４８の先端フック部４８ａは、上記アダプタ本体４０の外周縁部であって第１保持腕４３の外面部位を覆う位置に配置される。このとき、先端フック部４８ａが第１保持腕４３の外面部位に係合することにより、当該取付用アダプタ４の閉状態が保持されるように構成されている。
【００７２】
なお、取付用アダプタ４のアダプタ本体４０の外周面上には、上述したように、上記撮像素子付中間筒１側の指標１０ｘに対応させた２つの指標、即ち第１指標４０ｘと、第２指標４０ｙが設けられている。以上が、上記取付用アダプタ４の概略的な構成である。なお、上記取付用アダプタ４については、本発明の主要部ではないので、これ以上の詳細な説明は省略する。
【００７３】
［撮像素子付中間筒の内部詳細構成］
次に、本実施形態の撮像素子付中間筒１の内部構成の詳細を、以下に説明する。まず、上記撮像素子付中間筒１における内部機構のうちレンズロック解除機構とアダプタロック解除機構との詳細構成について、主に図７〜図９を用いて以下に説明する。図７〜図９は、本実施形態のアクセサリ機器である撮像素子付中間筒の内部構造を示すために当該撮像素子付中間筒の本体外装の一部を破いて示す図である。このうち、図７は、撮像素子付中間筒の右側面図である。図８は、図７の背面側から見た斜視図である。図９は、図７の前面側から見た斜視図である。
【００７４】
［撮像素子付中間筒の内部詳細構成（レンズロック解除機構）］
まず、上記撮像素子付中間筒１において適用されているレンズロック解除機構の詳細構成を説明する。レンズロック解除機構は、撮像素子付中間筒１の前面に装着されている交換用レンズ鏡筒７のレンズ着脱機構の一部であって、装着状態のレンズ鏡筒７を取り外す際に、その回転ロック状態を解除するための機構部である。このレンズロック解除機構は、レンズ取外用操作ボタン１４，ロックピン３０等の各種構成部材によって構成されている。
【００７５】
レンズロック解除機構の構成をさらに詳述する。レンズロック解除機構は、レンズ取外用操作ボタン１４と、第１吊軸２４と、第１操作ボタン付勢ばね２５と、ロックピン３０と、連動部材２７と、ロックピン付勢ばね２６と、ロック解除検知スイッチ２１ａ及び基板２１ｂ等の構成部材によって構成されている。
【００７６】
レンズ取外用操作ボタン１４は、上述したように、当該撮像素子付中間筒１の前面に装着される交換用レンズ鏡筒（図１，図２参照）を取り外す際に、ロックピン３０によるレンズ鏡筒７の回転ロック状態を解除するための操作部材である。
【００７７】
ここで、レンズ鏡筒７の側には、当該レンズ鏡筒７を上記撮像素子付中間筒１に装着状態とした時に、上記ロックピン３０が嵌入するロック凹孔（不図示）が形成されている。そして、上記ロックピン３０がロック凹孔に嵌入された状態となったとき、当該レンズ鏡筒７の回転ロック状態が完成する。
【００７８】
つまり、上記レンズ取外用操作ボタン１４を含むレンズロック解除機構は、レンズ鏡筒７の回転ロック状態を解除するための機構である。レンズロック解除機構の基本的な構成は、従来一般のレンズ交換式カメラと、これに対応する交換レンズ鏡筒におけるレンズロック解除機構と略同様である。
【００７９】
レンズ取外用操作ボタン１４は、本体部１０の外面に突設するボタン部１４ａを有し、当該撮像素子付中間筒１に装着されるレンズ鏡筒７の撮像光学系の光軸Ｏに沿う方向（図１のＺ軸方向）に所定の範囲でスライド移動可能に配設されている。そのために、レンズ取外用操作ボタン１４は、当該撮像素子付中間筒１の内部において、第１吊軸２４に沿って摺動自在に支持されている。この第１吊軸２４は、当該撮像素子付中間筒１の内部の固定部（不図示）に対して光軸Ｏに沿うＺ軸方向と平行に軸支されている。
【００８０】
第１吊軸２４の後端寄りの部位には、上記内部固定部（不図示）との間に、第１操作ボタン付勢ばね２５が巻回されて配置されている。これにより、第１操作ボタン付勢ばね２５は、その付勢力によって上記レンズ取外用操作ボタン１４を、図７等に示す矢印Ｚ１方向に向けて付勢している。また、レンズ取外用操作ボタン１４には、当該撮像素子付中間筒１の内部において上記矢印Ｚ１方向に直交する方向に突設される凸状連動部１４ｂが形成されている。この凸状連動部１４ｂは、連動部材２７の腕部２７ａの前面に当接するように配設されている（詳細後述）。
【００８１】
一方、上記レンズ取外用操作ボタン１４，第１吊軸２４の近傍には、当該第１吊軸２４と平行にロックピン３０が配設されている。このロックピン３０は、当該撮像素子付中間筒１の前面に装着されるレンズ鏡筒７の回転規制を行うために設けられる部材である。ロックピン３０は、丸棒状部材からなり、通常の場合には、ロックピン付勢ばね２６の付勢力によって、その先端部位の所定の長さ領域がマウント面１２ａの面上から前方外部に向けて突設されている。
【００８２】
詳述すると、ロックピン３０は、その先端が当該撮像素子付中間筒１の上記マウントリング１２に形成された孔部に嵌合配置されていて、当該孔部より前方外部に向けて所定の長さだけ突出した状態で配設されている。
【００８３】
ロックピン３０の後端部は、ロック解除検知スイッチ２１ａの一方の切片に当接している。そして、ロックピン３０の中程には連動部材２７が固設されている。この連動部材２７は、当該ロックピン３０の軸方向に対して直交する周方向に突設される腕部２７ａを有して形成されている。この腕部２７ａは、上記凸状連動部１４ｂの後端面に当接している。さらに、ロックピン３０の後端寄りの部位であって、連動部材２７の腕部２７ａと上記ロック解除検知スイッチ２１ａの一方の切片との間には、ロックピン付勢ばね２６が巻回されている。
【００８４】
このような構成により、当該レンズロック解除機構が通常状態にある時には、ロックピン付勢ばね２６は、連動部材２７を介してロックピン３０を光軸Ｏに沿う矢印Ｚ１方向に向けて付勢している。したがって、これにより、ロックピン３０の先端は、マウント面１２ａ（図７，図９等参照）から所定の長さ領域が前方外部へ突出した状態で配置されている。なお、この状態において、ロックピン３０の先端に対して、矢印Ｚ２方向の押圧力量が加わったとすると、当該ロックピン３０はロックピン付勢ばね２６の付勢力に抗して簡単に内部へ向けて引き入れられて没入する形態になる。つまり、ロックピン３０は、光軸Ｏに沿う方向（Ｚ軸方向）に突没自在に配設されている。
【００８５】
上記ロック解除検知スイッチ２１ａは、基板２１ｂ上に実装されたスイッチ部材である。このロック解除検知スイッチ２１ａは、対向して配置される二つの切片によって形成されている。そして、このロック解除検知スイッチ２１ａは、後述する作用によって、ロックピン３０が矢印Ｚ２方向へと移動すると、上記二つの切片が接触状態となり、これによってレンズ鏡筒７の回転ロック状態の解除が検知される。
【００８６】
また、レンズ取外用操作ボタン１４は、上述したように、第１操作ボタン付勢ばね２５によって光軸Ｏに沿う矢印Ｚ１方向に付勢されている。したがって、これにより、レンズ取外用操作ボタン１４は、通常状態においては、所定の摺動範囲内において当該撮像素子付中間筒１の前面寄りの部位に配設された状態にある。
【００８７】
そして、当該レンズロック解除機構が通常状態にあるときに、使用者（ユーザ）がレンズ取外用操作ボタン１４のボタン部１４ａを手指等によって図７〜図９に示す矢印Ｚ２方向へスライド操作したとする。すると、レンズ取外用操作ボタン１４は、第１操作ボタン付勢ばね２５の付勢力に抗して同矢印Ｚ２方向へと移動する。この移動と同時に、レンズ取外用操作ボタン１４の凸状連動部１４ｂは、当接している連動部材２７の腕部２７ａを、ロックピン付勢ばね２６の付勢力に抗して同矢印Ｚ２方向へ移動させる。これに連動してロックピン３０も同Ｚ２方向へと移動する。したがって、ロックピン３０の先端は、上記マウントリング１２のマウント面１２ａから前方外部へ突出した状態から内部に向けて引き入れられて没入するようにＺ２方向に移動する。このとき、ロックピン３０の先端面は、マウント面１２ａと略同一面となる位置まで移動する。さらにこのとき、ロックピン３０の後端は、ロック解除検知スイッチ２１ａの一方の切片を他方の切片に向けて押圧する。これにより、ロック解除検知スイッチ２１ａの二つの切片は接触する。これを受けて、レンズ鏡筒７の回転ロック状態が解除された旨を表す所定の検知信号が発生する。
【００８８】
ロックピン３０を、この状態とした時、レンズ鏡筒７の回転ロック状態は解除される。したがって、使用者（ユーザ）は、この状態にある時、即ち、レンズ取外用操作ボタン１４の矢印Ｚ２方向へのスライド操作を維持しつつ、当該撮像素子付中間筒１に装着されているレンズ鏡筒７を所定の方向に回転操作する。これにより、撮像素子付中間筒１のマウントリング１２と、レンズ鏡筒７のレンズマウント７ａ（図２参照）との連結を解除することができ、よってレンズ鏡筒７は、撮像素子付中間筒１から取り外し得る状態にすることができる。
【００８９】
このように、当該レンズロック解除機構において、レンズ取外用操作ボタン１４は、マウントリング１２のマウント面１２ａから前方外部に向けて先端側の所定の長さ領域が突没自在に設けられるロックピン３０に連動する操作部材として構成されている。
【００９０】
このような構成とすることで、上記撮像素子付中間筒１においては、レンズロック解除機構を備え、前面側に交換用レンズ鏡筒７を着脱可能とすることによって、従来一般のレンズ交換式カメラ用に供給されているさまざまな種類の交換用レンズ鏡筒を択一的に装着して使用することができる。
【００９１】
また、上記レンズロック解除機構は、一つの操作部材（レンズ取外用操作ボタン１４）の簡単なスライド操作を行うのみでレンズロック状態を解除でき、その状態で装着されている交換用レンズ鏡筒を所定方向に回転させるのみで、容易に同レンズ鏡筒を取り外すことができる。
【００９２】
そして、撮像素子付中間筒１と、交換用レンズ鏡筒７との双方に予め設けられた所定の合わせマークを合致させた状態で両者を相対的に回転させ、そのとき回転が規制される位置まで回転させると自動的にレンズロック状態となるので、交換用レンズ鏡筒の着脱を極めて簡単に、かつ確実に行うことができ、良好な操作性を実現できる。
【００９３】
［撮像素子付中間筒の内部詳細構成（アダプタロック解除機構）］
次に、上記撮像素子付中間筒１において適用されているアダプタロック解除機構の詳細構成を説明する。アダプタロック解除機構は、撮像素子付中間筒１の背面に着脱されている取付用アダプタ４（図１，図２参照）のアダプタ着脱機構の一部であって、装着状態の取付用アダプタ４を取り外す際に、その回転ロック状態を解除するための機構部である。このアダプタロック解除機構は、アダプタ取外用操作ボタン１８と、ストッパピン３１等の構成部材によって構成されている。
【００９４】
上記アダプタロック解除機構は、アダプタ取外用操作ボタン１８と、第２吊軸２８と、第２操作ボタン付勢ばね２９と、ストッパピン３１と、ストッパピン付勢ばね３２と、Ｅ（イー）リング３３等の構成部材によって構成されている。
【００９５】
上記アダプタ取外用操作ボタン１８は、上述したように、当該撮像素子付中間筒１の背面に取り付けられる取付用アダプタ４（図１，図２参照）を取り外す際に、ストッパピン３１よる取付用アダプタ４の回転ロック状態を解除するための操作部材である。
【００９６】
ここで、撮像素子付中間筒１の背面と取付用アダプタ４の前面との間の結合は、詳細は後述するが、撮像素子付中間筒１の背面のアダプタ装着部１９の外周縁部に周方向に略等間隔に設けられる複数のバヨネット爪１９ａと、取付用アダプタ４のアダプタ本体４０（後述する；図６等を参照）に設けられる複数のバヨネット嵌合部４１とが係合するバヨネット式の結合手段が適用されている。
【００９７】
この場合において、各バヨネット爪１９ａと各バヨネット嵌合部４１とが係合状態となり、当該撮像素子付中間筒１に取付用アダプタ４が装着された状態となった時に、各係合箇所（本実施形態では４箇所）のうちの少なくとも１箇所において、上記ストッパピン３１がアダプタ装着部１９の表面から後方外部に向けて先端側の所定の長さ領域が突出するように構成されている。したがって、これにより、上記ストッパピン３１は、当該部位においてバヨネット爪１９ａに入り込んだバヨネット嵌合部４１の回転を阻止し、よって取付用アダプタ４の回転ロック状態が完成する。
【００９８】
つまり、上記アダプタ取外用操作ボタン１８を含むアダプタロック解除機構は、上記撮像素子付中間筒１の背面に装着された状態の取付用アダプタ４の回転ロック状態を解除するための機構である。
【００９９】
アダプタ取外用操作ボタン１８は、本体部１０の外面に突設するボタン部１８ａを有し、当該撮像素子付中間筒１のＺ軸方向に所定の範囲でスライド移動可能に配設されている。そのために、このアダプタ取外用操作ボタン１８は、当該撮像素子付中間筒１の内部において、第２吊軸２８に沿って摺動自在に支持されている。この第２吊軸２８は、当該撮像素子付中間筒１の内部の固定部（不図示）に対してＺ軸方向と平行に軸支されている。
【０１００】
第２吊軸２８の前端寄りの部位には、内部固定部（不図示）との間に、第２操作ボタン付勢ばね２９が巻回されて配置されている。これにより、第２操作ボタン付勢ばね２９は、その付勢力によって上記アダプタ取外用操作ボタン１８を、矢印Ｚ２方向に向けて付勢している。また、上記アダプタ取外用操作ボタン１８には、当該撮像素子付中間筒１の内部において上記矢印Ｚ２方向に直交する方向に突設される凸状連動部１８ｂ（図９参照）が形成されている。この凸状連動部１８ｂは、ストッパピン３１に係合してＥリング３３の背面に当接するように配設されている。
【０１０１】
一方、上記第２吊軸２８の近傍には、当該第２吊軸２８と平行にストッパピン３１が配設されている。このストッパピン３１は、当該撮像素子付中間筒１の背面に装着される取付用アダプタ４の回転規制を行うために設けられる部材である。ストッパピン３１は、丸棒状部材からなり、通常の場合には、ストッパピン付勢ばね３２の付勢力によって、その先端部位の所定の長さ領域がアダプタ装着部１９の表面から後方外部に向けて突設されている。
【０１０２】
詳述すると、ストッパピン３１は、その先端が当該撮像素子付中間筒１のアダプタ装着部１９に形成された孔部に嵌合配置されていて、当該孔部より後方外部に向けて所定の長さだけ突出した状態で配設されている。
【０１０３】
そのために、ストッパピン３１の後端寄りの部位には、Ｅリング３３が当該ストッパピン３１に対して一体となるように固設されている。このＥリング３３は、当該ストッパピン３１の軸方向に対して直交する周方向に突設される部位を有して形成されている。このＥリング３３とストッパピン３１の前方側の内部固定部（不図示）との間には、上記第２ストッパピン付勢ばね３２が上記ストッパピン３１に巻回配置されている。そして、Ｅリング３３の背面側には、上記凸状連動部１８ｂの前面が当接している。
【０１０４】
このような構成により、当該アダプタロック解除機構が通常状態にある時には、第２ストッパピン付勢ばね３２は、Ｅリング３３，凸状連動部１８ｂを介してストッパピン３１を矢印Ｚ２方向に向けて付勢している。したがって、これにより、ストッパピン３１の先端は、アダプタ装着部１９の表面から所定の長さ領域が後方外部へ突出した状態で配置されている。なお、この状態において、ストッパピン３１の先端に対して押圧する力量が加わると、当該ストッパピン３１は第２ストッパピン付勢ばね３２の付勢力に抗して簡単に内部へ向けて引き入れられて没入する形態になる。つまり、ストッパピン３１は、Ｚ軸方向に突没自在に配設されている。
【０１０５】
また、上記アダプタ取外用操作ボタン１８は、上述したように、第２操作ボタン付勢ばね２９によって矢印Ｚ２方向に付勢されている。したがって、これにより、アダプタ取外用操作ボタン１８は、通常状態においては、所定の摺動範囲内において当該撮像素子付中間筒１の背面寄りの部位に配設された状態にある。
【０１０６】
このように、当該アダプタロック解除機構が通常状態にある時に、使用者（ユーザ）がアダプタ取外用操作ボタン１８のボタン部１８ａを手指等によって図７〜図９に示す矢印Ｚ１方向へスライド操作したとする。すると、アダプタ取外用操作ボタン１８は、第２操作ボタン付勢ばね２９の付勢力に抗して同矢印Ｚ１方向へと移動する。この移動と同時に、アダプタ取外用操作ボタン１８の凸状連動部１８ｂがＥリング３３に当接し、同Ｅリング３３を第２ストッパピン付勢ばね３２の付勢力に抗して同矢印Ｚ１方向へ移動させる。これに連動してストッパピン３１も同Ｚ１方向へと移動する。したがって、ストッパピン３１の先端は、上記アダプタ装着部１９の表面から後方外部へ突出した状態から内部に向けて引き入れられて没入するようにＺ１方向に移動する。このとき、ストッパピン３１の先端面は、上記アダプタ装着部１９の表面と略同一面となる位置まで移動する。
【０１０７】
ストッパピン３１を、この状態とした時、取付用アダプタ４の回転ロック状態は解除される。したがって、使用者（ユーザ）は、この状態にある時、即ち、アダプタ取外用操作ボタン１８の矢印Ｚ１方向へのスライド操作を維持しつつ、当該撮像素子付中間筒１に装着されている取付用アダプタ４を所定の方向に回転操作する。これにより、撮像素子付中間筒１のアダプタ装着部１９と、取付用アダプタ４のアダプタ本体４０（後述；図７等参照）との接続を解除することができ、よって取付用アダプタ４は、撮像素子付中間筒１から取り外し得る状態にすることができる。
【０１０８】
このように、当該アダプタロック解除機構において、アダプタ取外用操作ボタン１８は、アダプタ装着部１９の表面から後方外部に向けて先端側の所定の長さ領域が突没自在に設けられるストッパピン３１に連動する操作部材として構成されている。
【０１０９】
なお、上述したように、本実施形態においては、レンズロック解除機構のレンズ取外用操作ボタン１４と、アダプタロック解除機構のアダプタ取外用操作ボタン１８とを、本体部１０の右側面（図４の符号［４Ｅ］参照）において、互いが隣接する位置に、光軸Ｏに沿う方向に並べて配置している。そして、レンズ取外用操作ボタン１４とアダプタ取外用操作ボタン１８との操作方向は、いずれも同じ方向となるように、即ち光軸Ｏに沿う方向となるように構成されている。この場合において、レンズロック解除機構のレンズ取外用操作ボタン１４のロック解除時の操作方向は、交換用レンズ鏡筒が装着されている前面側に対し光軸Ｏに沿う反対側に向けた方向である。また、アダプタロック解除機構のアダプタ取外用操作ボタン１８のロック解除時の操作方向は、取付用アダプタ４が装着されている背面側に対し光軸Ｏに沿う反対側に向けた方向である。即ち、レンズ取外用操作ボタン１４の操作方向とアダプタ取外用操作ボタン１８の操作方向は、光軸Ｏに沿う方向であって、互いに離反する方向となるように構成している。
【０１１０】
このような構成とすることで、上記撮像素子付中間筒１においては、アダプタロック解除機構を備え、背面側に取付用アダプタ４を着脱可能とすることによって、当該取付用アダプタ４を介して既存の携帯型電子機器３と一体構成とすることが簡単にでき、既に所有している携帯型電子機器３を利用して、従来の一般的な撮像装置（カメラ）と略同様の形態の撮像システムを構築することができる。
【０１１１】
また、撮像素子付中間筒１の背面側から当該取付用アダプタ４を取り外すか、若しくは同取付用アダプタ４を装着したまま格納状態に変位させることにより、交換用レンズ鏡筒を装着した状態の撮像素子付中間筒１から携帯型電子機器３を切り離した状態で、当該撮像素子付中間筒１を単独使用するような場合においても、若しくは当該撮像素子付中間筒１を携帯して持ち歩くような場合にもなんら支障がなく行うことができる。
【０１１２】
［撮像素子付中間筒の内部詳細構成（レリーズ操作部材）］
次に、上記撮像素子付中間筒１における内部機構のうち複数の操作部材のうちのレリーズ操作部材の詳細構成について、主に図１０〜図１３を用いて以下に説明する。図１０〜図１３は、本実施形態のアクセサリ機器である撮像素子付中間筒におけるレリーズ操作部材の構成を示す図である。このうち、図１０は、撮像素子付中間筒の本体部の内部において上面部位に設けられた固定部材（上側カバー）とレリーズ操作部材とを取り出して示す要部拡大斜視図である。図１１は、図１０のレリーズ操作部材のみを取り出して、その内面側の構造を示す斜視図である。図１２は、レリーズ操作部材を含むＹＺ平面における断面を拡大して示す要部拡大断面図である。図１３は、レリーズ操作部材を含むＸＹ平面における断面を拡大して示す要部拡大断面図である。
【０１１３】
本実施形態の撮像素子付中間筒１の本体部１０の内部において、その上面部位には、図１０に示すような形態の固定部材である上側カバー６０が設けられている。この上側カバー６０は、当該撮像素子付中間筒１の内部に設けられる各種の構成物（レリーズ操作部材１５や電源操作部材１７等の操作部材等）を配設すると共に、当該撮像素子付中間筒１の外面を覆う本体部１０が衝撃等を受けた際にその変形等を抑止するために設けられている部材である。上側カバー６０は、例えば樹脂成型等によって形成されるモールド部品等が適用されている。
【０１１４】
上側カバー６０は、本体部１０が全体として略円筒形状に形成されていることから、当該本体部１０の周面の内壁面に沿う円弧形状面を有して形成されている。本体部１０は、上側カバー６０の上記円弧形状面を覆うように配設される（図３等参照）。この場合において、当該撮像素子付中間筒１の上面側であって、上記上側カバー６０の円弧形状面の上面部位には、レリーズ操作部材１５と電源操作部材１７等が配設されている。そのために、本体部１０には、レリーズ操作部材１５及び電源操作部材１７の表面が外部に露呈されるように、孔１０ｂ，１０ｃ（図１２，図１３参照）が形成されている。以下、レリーズ操作部材１５と、このレリーズ操作部材１５が配設されている部分の構造について詳述する。
【０１１５】
レリーズ操作部材１５は、図１０，図１１等に示すように、全体として略楕円形状からなり、かつ本体部１０の周面に沿う円弧形状面を有し、弾性を有するように形成された薄板形状部を備えて構成された操作部材である。レリーズ操作部材１５は、例えば樹脂成型等によるモールド部品等が適用されている。レリーズ操作部材１５の外面、即ち当該撮像素子付中間筒１に組み付けられた状態において外部側に露呈する面は、図１２に示すように、その外縁部が上記本体部１０の外面と略同一平面となるように形成されており、かつレリーズ操作部材１５の断面が、同図１２に示すように、内側に向けた略凹形状となるように形成されている。
【０１１６】
レリーズ操作部材１５の外面は、通常の場合、使用者（ユーザ）が手指の腹部等を当てて、当該レリーズ操作部材１５の押圧操作を行う部位である。したがって、レリーズ操作部材１５の外面形状を、上述したように、外縁部を本体部１０の外面と略同一平面とし、かつ断面を内側に向けた略凹形状とすることによって、使用者（ユーザ）は、手指の腹部等による触覚のみによって、レリーズ操作部材１５を視認することなく、当該撮像素子付中間筒１の外面上に設けられた上記レリーズ操作部材１５の配設位置を認知することができる構成となっている。
【０１１７】
レリーズ操作部材１５の内面側には、主に図１１に示すように、押圧凸部１５ａ，スナップフィット部１５ｃ，位置規制突部１５ｄ等、各種の突出形状部が形成されている。このうち押圧凸部１５ａは、レリーズ操作部材１５の略中央部近傍から内面に向けて突設される棒状の突出形状部である。この押圧凸部１５ａは、上側カバー６０の上面の孔部６０ａ（図１０参照）に挿通配置された状態で、当該上側カバー６０に対してＹ軸方向に移動可能に配設される。この状態において、上記押圧凸部１５ａの先端部は、本体部１０の内部に設けられるレリーズスイッチ７１（図１２，図１３参照）に当接配置されている。このレリーズスイッチ７１は、上側カバー６０の内部固定部に載置されたスイッチ基板７０（図１２，図１３参照）に実装されたフレキシブルプリント基板等からなるスイッチ部材である。
【０１１８】
スナップフィット部１５ｃは、レリーズ操作部材１５の略楕円形状における短軸方向の両端縁部近傍から内面に向けてそれぞれ突設され先端に爪状部を有する一対の突出形状部である。このスナップフィット部１５ｃのそれぞれは、上側カバー６０の上面の一対の孔部６０ｃ（図１０参照）にそれぞれ挿通配置された状態となったとき、上記爪状部が当該孔部６０ｃ内の係止部６０ｃｃ（図１３参照）に係止されるように構成されている。これにより、当該レリーズ操作部材１５は、Ｙ軸方向において外方向への移動が規制され、当該上側カバー６０から脱落しないように構成されている。その一方で、孔部６０ｃ内には、スナップフィット部１５ｃが挿通配置された状態で、Ｙ軸方向における内方向への移動を許容する空間６０ｃｂを有している。この構成により、当該レリーズ操作部材１５は、通常状態では抜去してしまうことなく上側カバー６０への装着状態が維持される一方、使用者（ユーザ）による押圧操作を受けると、Ｙ軸方向の内方向へ向けた沈み込み方向に移動し得る。これによって、上記押圧凸部１５ａの先端部がレリーズスイッチ７１を押圧するように構成されている。
【０１１９】
また、位置規制突部１５ｄは、レリーズ操作部材１５の略楕円形状における長軸方向の両端縁部近傍から内面に向けてそれぞれ突設され、略中央部分に切欠係合部１５ｂを有して形成された一対の突出形状部である。この位置規制突部１５ｄのそれぞれは、上記スナップフィット部１５ｃが孔部６０ｃに挿通され係止状態となったとき、上側カバー６０の上面の一対の切欠部６０ｄ（図１０参照）にそれぞれ載置された状態となる。この状態となったとき、上記切欠部６０ｄの略中央部分に形成されている突状部６０ｂが、上記位置規制突部１５ｄの切欠係合部１５ｂに係合する。これによりレリーズ操作部材１５は、Ｚ軸方向への移動が規制される。一方、同状態において、レリーズ操作部材１５は、使用者（ユーザ）による押圧操作を受けると、上述したようにＹ軸方向の内方向へ向けて沈み込むと同時に、自身の弾性力によってその長軸方向に撓むように構成されている。そして、上記押圧凸部１５ａの先端部がレリーズスイッチ７１を押圧する。このときのレリーズ操作部材１５の長軸方向への撓みは、レリーズ操作部材１５の長軸方向の寸法が延びることになる。この延び代を吸収するために、本体部１０の孔１０ｂは、レリーズ操作部材１５の長軸方向の寸法に対して余裕を持つように若干大となるように形成されている。これにより、本体部１０の孔１０ｂは、レリーズ操作部材１５の撓みを許容する。
【０１２０】
このように、レリーズ操作部材１５は、その外面形状において、外縁部を本体部１０の外面と略同一平面とし、かつ断面を内側に向けた略凹形状としたので、使用者（ユーザ）は、手指の腹部等による触覚のみによって、レリーズ操作部材１５を視認することなく、当該レリーズ操作部材１５の配設位置を認知することができる。
【０１２１】
したがって、使用者（ユーザ）は、例えば周囲環境が暗く手元が見えないような状況下であったり、手に持った機器の操作系が逆になる使用形態、具体的には例えば自分自身に撮像レンズを向けて自分で自分を撮影するような場合、若しくは手に持った機器を高く掲げた状態で被写体に向けて撮影するような場合等等、いわゆる手探り状況での操作を行ったとしても、機器自体を確実に把持しつつも常に確実にシャッターレリーズ操作を実行することができる優れた操作性の撮像素子付中間筒を提供することができる。
【０１２２】
［撮像素子付中間筒の内部詳細構成（フレーム構造）］
次に、本実施形態の上記撮像素子付中間筒１における内部機構の詳細を、主に図１４〜図１９を用いてさらに詳述する。図１４は、本実施形態の撮像素子付中間筒の基本構成ユニットのみを取り出して背面寄りの位置から見たようすを示す斜視図である。図１５は、本実施形態の撮像素子付中間筒において、本体部とアダプタ装着部を取り外した状態の撮像素子付中間筒を背面寄りの位置から見たようすを示す斜視図である。図１６は、本実施形態の撮像素子付中間筒において、アダプタ装着部の蓋部を取り外した状態を示す分解斜視図である。図１７は、本実施形態の撮像素子付中間筒において、アダプタ装着部を取り外した状態の背面図である。図１８は、本実施形態の撮像素子付中間筒において、外装部材を取り外した状態で上面側から見た際の横断面図である。なお、図１８は図４の［１８］−［１８］線に沿う断面を示している。図１９は、本実施形態の撮像素子付中間筒において、外装部材を取り外した状態で右側面側から見た際の縦断面図である。なお、図１９は図４の［１９］−［１９］線に沿う断面を示している。
【０１２３】
本実施形態の撮像素子付中間筒１の内部に設けられ、当該撮像素子付中間筒１の基本的な構成ユニットを形成する基本構成ユニットは、図１４に示すように、前側ボディ６４と、背面フレーム６５と、前側フレーム６６とによって主に構成されている。
【０１２４】
前側ボディ６４は、本体部１０の内部における前面側の基本構造を主に構成する部材である。この前側ボディ６４は、上記本体部１０に対して内挿配置され得るように、その外周縁形状が上記本体部１０の略円筒形状に合わせた形状に形成されており、かつ当該本体部１０の開口１０ａに合わせた開口を有するように、全体として略円環形状に形成されている。そのために、前側ボディ６４は、本体部１０の内部において最も前面寄りの部位に固定配置されている。そして、この前側ボディ６４には、本撮像素子付中間筒１の各種の内部構成部品がそれぞれ所定の位置に取り付けられている。例えば、前側ボディ６４の前面には、上記マウントリング１２がビス等によって固設されている。そして、この前側ボディ６４は、例えば金属材料を用いて製造されるダイキャスト部品として形成されている。
【０１２５】
背面フレーム６５は、本体部１０の内部における背面側の基本構造を主に構成する部材である。この背面フレーム６５は、上記本体部１０に対して内挿配置され得るように、その外周縁形状が上記本体部１０の略円筒形状に合わせて略円板形状に形成されている。そのために、背面フレーム６５は、本体部１０の内部において最も背面寄りの部位に固定配置されている。これにより、当該背面フレーム６５は、上記本体部１０の背面側を閉塞する部材となっている。そして、この背面フレーム６５には、その両面に各種の内部構成部品が取り付けられている（詳細後述）。また、背面フレーム６５には、内部に配設される構成部品の一部を外部に向けて露呈させるために、所定に部位に所定の形状の複数の孔部が形成されている。背面フレーム６５における複数の孔部としては、詳細は後述するが、例えば当該撮像素子付中間筒１の主基板７２（図１５〜図１７等参照）に実装された電子部品の一部を露呈させるために一部を貫通して形成された開口孔６５ａ等がある。なお、上記背面フレーム６５は、例えば金属製（例えばステンレス鋼（ＳＵＳ）等）若しくは硬質樹脂製の板状部材を用いて形成されている。
【０１２６】
前側フレーム６６は、例えば金属製（例えばステンレス鋼（ＳＵＳ）等）の板状部材を折り曲げ加工して構成され、本撮像素子付中間筒１における基本構成ユニットの主要部をなす構成部材である。この前側フレーム６６は、前面寄りの位置にＸＹ平面に平行に形成されその略中央に上記本体１０の開口１０ａに合わせた開口を備えた前面平板部６６ａと、この平板部の四辺外周縁部から後方（背面側）へ向けてそれぞれ延出し、上面，底面，右側面，左側面の四平面のそれぞれに平行に形成された複数の平板部（上面平板部６６ｂ，底面平板部６６ｃ，右側面平板部６６ｄ，左側面平板部６６ｅ）とを有して形成されている。なお、ここで、右側面とは当該撮像素子付中間筒１の正面（図４［４Ａ］参照）に向かって右手側の側面をいうものとする。同様に、左側面とは当該撮像素子付中間筒１の正面（図４［４Ａ］参照）に向かって左手側の側面をいうものとする。
【０１２７】
したがって、この構成により、当該前側フレーム６６は、全体として略直方体形状に形成されている。なお、前側フレーム６６自体は、背面側が開口した形態の略直方体形状となっているが、後述するように、前側フレーム６６が基本構成ユニットの一部として組み立てられた形態となったとき、当該前側フレーム６６の背面側の開口は、背面フレーム６５によって閉塞された状態になる。このように形成される上記前側フレーム６６は、各平板部（６６ｂ，６６ｃ，６６ｄ，６６ｅ）によって囲われた内部空間に、詳細は後述するが、本撮像素子付中間筒１における重要構成部品、例えば電源電池８１や撮像素子１１を含む撮像ユニット及び主基板７２等が配設されている（図１８，図１９等参照）。
【０１２８】
なお、この当該前側フレーム６６は、前面側においては上記前側ボディ６４に対し、背面側においては背面フレーム６５に対して、それぞれ所定の部位にて、例えばビス６６ｘ等を用いて固設されている。換言すると、前側フレーム６６は、本体部１０の内部において、前側ボディ６４と背面フレーム６５との間に挟まれるように固定配置されている。そして、前側ボディ６４は、本体部１０の前面寄りの部位に、背面フレーム６５は背面寄りの部位に、それぞれ固定配置されている。この構成により、前側ボディ６４と背面フレーム６５と前側フレーム６６とによって本撮像素子付中間筒１における基本構成ユニットが組み立てられた形態（図１４に示す形態）となったとき、当該前側フレーム６６の背面側の開口は、背面フレーム６５によって閉塞された状態になる。そして、このように構成された基本構成ユニットは、上記本体部１０に内挿配置されて、その外面側が覆われ、保護される形態となる。このとき、上記前側フレーム６６における略直方体形状に形成される部位は、上記本体部１０の略中央部分に配置されるように構成されている。
【０１２９】
上述したように、本体部１０は略円筒形状に形成されている。一方、前側フレーム６６は、全体として略直方体形状に形成されている。そして、略円筒形状の本体部１０の内部の略中央部分に略直方体形状の前側フレーム６６が配設する構成となっている。この場合においては、上記前側フレーム６６の各平板部、即ち上面平板部６６ｂ，底面平板部６６ｃ，右側面平板部６６ｄ，左側面平板部６６ｅのそれぞれの外面側と、本体部１０の内面側との間には、断面が円弧形状を有する所定の形態の空間が形成される。このような空間が本体部１０の内部に形成されていると、当該本体部１０の外表面に対して衝撃等を受けた場合、本体部１０の外表面が座屈応力によって容易に変形してしまう虞がある。
【０１３０】
そこで、上述したように（図１０等参照）、本体部１０の内部の上面部位（前側フレーム６６の上面平板部６６ｂ）に固定部材である上側カバー６０を設けることによって、本体部１０の座屈応力を補強している。これと全く同様に、図１５等に示すように、底面部位（前側フレーム６６の底面平板部６６ｃ）には下側カバー６１が、本体部１０の内部において右側面部位（前側フレーム６６の右側面平板部６６ｄ）に右側面カバー（不図示）が、同左側面部位（前側フレーム６６の左側面平板部６６ｅ）に左側面カバー（不図示）が、それぞれ配設されている。なお、上記底面平板部６６ｃは下側カバー６１の外面を覆うように設けられている。この上記底面平板部６６ｃには、三脚ネジ穴２０を配設するための三脚取り付け用構成ユニット（不図示）が配設されている。この構成により、上記前側フレーム６６のうち底面平板部６６ｃは、底面側の外装を補強する役目をすると共に、三脚取り付け部の補強部材としても機能している。
【０１３１】
これら下側カバー６１，右側面カバー，左側面カバーも、上記上側カバー６０と同様、本体部１０の内壁面に沿う円弧形状面を有して形成され、各種の内部構成部品を固定配置している。そして、本体部１０は、各カバー（６０，６１等）の円弧形状面を覆うように配設される。これにより、各カバー（６０，６１等）は、本体部１０の変形や破損等を抑止すると共に、内部構成部品を保護している。なお、上記各カバー（６０，６１等）は、例えば樹脂成型等によって形成されるモールド部品等が適用されている。そして、これら上記各カバー（６０，６１等）は、例えばビス６０ｘ（図１５参照）等によって前側ボディ６４及び背面フレーム６５に対して固設されている。
【０１３２】
［撮像素子付中間筒の内部詳細構成（背面フレームの背面）］
上記背面フレーム６５には、上述したように、また図１４，図１５，図１７等に示すように、開口孔６５ａ等が設けられている。この開口孔６５ａには、上記前側フレーム６６の内部空間に配設されている主基板７２の一部が配置されている。これにより、上記主基板７２上に実装されている電子部品の一部、例えばメモリカードスロット３４や接続コネクタ２３の開口部等が、当該開口孔６５ａから背面フレーム６５の背面側外部に向けて露呈した状態で配置されている。なお、図１５においては、メモリカードスロット３４に対しメモリカード３４ａが挿入配置されている状態を示している。
【０１３３】
ここで、当該撮像素子付中間筒１の背面側には、上述したように、アダプタ装着部１９が配設されている。このアダプタ装着部１９は、図１６に示すように、上記複数のバヨネット爪１９ａが形成されている本体部材１９ｃと、この本体部材１９ｃの外面を覆う蓋部材１９ｂとによって主に構成されている。この蓋部材１９ｂは、本体部材１９ｃに対して着脱可能に設けられている。そして、蓋部材１９ｂが本体部材１９ｃに装着されたときには、メモリカードスロット３４及びこれに挿入配置されたメモリカード３４ａを覆い隠すように配置される。その一方で、蓋部材１９ｂには、本体部材１９ｃに装着された状態となったとき、複数のバヨネット爪１９ａと、接続コネクタ２３の開口部と、無線オンオフ用操作部材２２とを外部に露呈するように形成されている。
【０１３４】
また、上記背面フレーム６５の開口孔６５ａからは、図１５等に示すように、上記主基板７２から延出する接続用フレキシブルプリント基板７４が外部に向けて延出している。この接続用フレキシブルプリント基板７４は、上記背面フレーム６５の背面側外面に対してビス７３ａによって固設された小型のリヤ基板７３に接続されている。このリヤ基板７３には、当該撮像素子付中間筒１の傾き等を検出し水準器機能を実現する加速度センサや角速度センサ（ジャイロセンサ）等のセンサ素子７５や、無線機能の入り切り（オンオフ）の切り換えを行う無線オンオフスイッチ７６等の電子部品が実装配置されている。
【０１３５】
ここで、上記センサ素子７５等を実装したリヤ基板７３は、上記主基板７２とは別体に切り離した構成としている。主基板７２は、本撮像素子付中間筒１における重要な電子部品（制御回路等）を実装している主要な基板であるので、上記前側フレーム６６の内部空間に配設するのが望ましい。そこで、主基板７２は、前側フレーム６６の内部空間において左側面、即ち前側フレーム６６の左側面平板部６６ｅの内面に対して平行となるように配設されている（詳細後述；図１８，図１９参照）。
【０１３６】
一方、ジャイロセンサ等のセンサ素子７５等は、撮像素子１１の受光面に平行となる面に配置されているのが望ましい。ここで、撮像素子１１は、後述するように、その受光面がＸＹ平面と平行となるように配設されている。したがって、上記センサ素子７５等を実装したリヤ基板７３も、ＸＹ平面と平行となる背面フレーム６５と平行に配設するようにしている。
【０１３７】
他方、上記無線オンオフスイッチ７６に作用する無線スイッチ機構の一部を構成するスイッチレバー７７が、上記背面フレーム６５の背面側外面においてＸ軸方向の所定の範囲内を摺動自在となるように配設されている。このスイッチレバー７７は、図１７に示すように、使用者（ユーザ）が操作する操作部となる上記無線オンオフ用操作部材２２と、上記無線オンオフスイッチ７６に作用する腕部７７ａとを一体に形成してなる板状部材である。
【０１３８】
ここで、スイッチレバー７７の無線オンオフ用操作部材２２は、当該撮像素子付中間筒１の背面側にアダプタ装着部１９が装着された状態とされたとき、外部に露呈するように構成されている。かつその状態において、上記無線オンオフ用操作部材２２は、Ｘ軸に沿う方向に所定の範囲内で移動可能となっている。そのために、アダプタ装着部１９の本体部材１９ｃと蓋部材１９ｂとには、それぞれに対応する部位にＸ軸に沿う方向に長軸を有して形成される開口が設けられている。そしてこの開口は、当該スイッチレバー７７のＸ軸方向における移動範囲を規定している。
【０１３９】
このような構成によって、上記無線スイッチ機構の一部である上記無線オンオフ用操作部材２２を使用者（ユーザ）が外部より摘まんで、これをＸ軸方向に摺動させると、これを受けて上記スイッチレバー７７も同方向に移動する。そして、これによって、腕部７７ａが上記無線オンオフスイッチ７６に作用する。すると、これを受けて、上記無線オンオフスイッチ７６は無線機能のオンオフ切り換え信号を発する。この指示信号は、リヤ基板７３から接続用フレキシブルプリント基板７４を介して主基板７２上の制御回路へと伝達される。
【０１４０】
［撮像素子付中間筒の内部詳細構成（電源電池を含む各種内部構成部品の配置）］
次に、本実施形態の撮像素子付中間筒１の内部構成部品の詳細を、主に図１８，図１９を用いて以下に説明する。なお、図１８，図１９においては、前側フレーム６６の複数の平板部（６６ａ，６６ｂ，６６ｃ，６６ｄ，６６ｅ）の各外面側に設けられる各カバー部材（６０，６１等）の図示は省略している。
【０１４１】
上述したように、本実施形態の撮像素子付中間筒１の基本構成ユニットは、前側ボディ６４，背面フレーム６５，前側フレーム６６によって構成されている。そして、前側フレーム６６を構成する複数の平板部（６６ａ，６６ｂ，６６ｃ，６６ｄ，６６ｅ）及び背面フレーム６５によって囲われる内部空間の内側に、本撮像素子付中間筒１における重要構成部品が配設されている。
【０１４２】
また、前側フレーム６６の複数の平板部（６６ａ，６６ｂ，６６ｃ，６６ｄ，６６ｅ）の各外面側にも各種の構成部材が配設されている。例えば、前側フレーム６６の上面平板部６６ｂの外面側には、レリーズスイッチ７１等を実装したスイッチ基板７０（図１２，図１３，図１９等参照）や、無線通信機能に関連する電子部品等を実装した電気基板の一部（不図示）等が配設されている。
【０１４３】
前側フレーム６６の底面平板部６６ｃには、これを貫通するようにして上記三脚取り付け用構成ユニット（不図示）が配設されている。なお、この上記三脚取り付け用構成ユニットについては、本発明に直接関連しない構成であるので、その詳細構成の説明及び図示は省略する。
【０１４４】
前側フレーム６６の右側面平板部６６ｄの外面側には、レンズ取外用操作ボタン１４，ロックピン３０等を含むレンズロック解除機構や、アダプタ取外用操作ボタン１８，ストッパピン３１等を含むアダプタロック解除機構（図７〜図９，図１８等参照）等のほか、吊金具装着部１６等が配設されている。なお、前側フレーム６６の左側面平板部６６ｅの外面側には、吊金具装着部１６等が配設されている。
【０１４５】
そして、前側フレーム６６の前面平板部６６ａの外面側には、前側ボディ６４が配設されている。この前側ボディ６４の前面には、マウントリング１２が固設されている。また、前側ボディ６４の内側部分には、略円環形状に形成される開口部材６７が配設されている。この開口部材６７は、本体部１０の開口１０ａに連通し、撮像素子１１の受光面を外部に向けて露呈し、被写体からの光束を導く光路を形成するための開口部６７ａが形成されている。なお、当該開口部材６７は、開口部６７ａの外縁部近傍の所定の部位に、上記複数の電気接点１３が配設されている。そして、図示を省略しているが、上記複数の電気接点１３から延出される接続ケーブルは、当該開口部材６７の内部を挿通して、上記前側フレーム６６の内部空間に設けられている電気基板に接続されている。これにより、当該撮像素子付中間筒１の前面のマウントリング１２に装着された交換用レンズ鏡筒７（図１等参照）と当該撮像素子付中間筒１の内部電子回路との間の電気的な接続が確保されている。そして、当該開口部材６７の後端部は、上記前側フレーム６６の前面平板部６６ａに形成されている開口に嵌合している。これにより、当該開口部材６７の開口部６７ａと、上記前面平板部６６ａの開口とは連通した形態となっている。
【０１４６】
なお、背面フレーム６５の外面側には、上述したように、リヤ基板７３等が配設されている。
【０１４７】
次に、前側フレーム６６の複数の平板部（６６ａ，６６ｂ，６６ｃ，６６ｄ，６６ｅ）及び背面フレーム６５によって囲われる内部空間（以下、前側フレーム６６の内部空間と略記する）の内側に配設される構成部品等について詳述する。この前側フレーム６６の内部空間に配設される構成部品や構成ユニット等は、本撮像素子付中間筒１においては、特に重要となる機能部品群である。
【０１４８】
前側フレーム６６の内部空間には、前面側から順に、塵埃除去ユニットと、撮像ユニットと、放熱板９６と、電源電池８１等が配設されている。
【０１４９】
塵埃除去ユニットは、保護ガラス９５と、保持部材９４と、加振用駆動機構（不図示）等によって構成されている。このうち保護ガラス９５は、撮像素子１１の受光面を保護するために設けられる透明薄板状部材である。保護ガラス９５は、上記開口部６７ａの後方部位であって撮像素子１１の受光面の前面側に設けられており、かつ撮像素子１１の受光面と平行に配置されている。そして、当該保護ガラス９５は、撮像素子１１の前面側の所定空間を密封状態とする役目もしている。これにより、保護ガラス９５は、上記開口部６７ａから内部に侵入する塵埃等が、撮像素子１１の受光面に付着することを抑止している。そして、上記保護ガラス９５は、例えば圧電素子等を有して構成される加振用駆動機構（不図示）による加振駆動を受けて振動するように構成されている。
【０１５０】
保持部材９４は、上記保護ガラス９５の外縁部を支持し、上記加振用駆動機構による振動を許容しながら、上記保護ガラス９５の撮像素子１１の受光面に対する平行を保持する固定部材である。なお、保持部材９４は、後述するように撮像ユニットをも同時に固定保持する部材として機能している。
【０１５１】
このような構成により、上記塵埃除去ユニットは、保護ガラス９５によって撮像素子１１の前面側の所定空間を密封状態とした上で、上記保護ガラス９５を圧電素子等の加振部材を介して加振用駆動機構によって振動させることにより、上記保護ガラス９５の外表面に付着した塵埃等を払い落として除去するための塵埃除去機構である。なお、上記保護ガラス９５の代わりに、撮像素子１１の受光面上に元から具備されるフィルタ部材、例えば赤外線カットフィルタやローパスフィルタ等を利用してもよい。
【０１５２】
塵埃除去ユニット自体の構成に関しては、本発明に直接関連しない部分であるので、従来一般的なカメラ等に使用されているものと同等のものが適用されているものとして、その詳細説明は省略する。
【０１５３】
上記塵埃除去ユニットの後方には、撮像ユニットが配設されている。この撮像ユニットは、光学フィルタ９３と、撮像素子１１と、撮像基板９１等によって構成されている。
【０１５４】
光学フィルタ９３は、当該撮像素子付中間筒１の前面に取り付けられた交換用レンズ鏡筒７（図１８，図１９では不図示。図１等を参照）の撮像光学系７ｂを透過して、上記本体部１０の開口１０ａ及び上記開口部材６７の開口部６７ａを経て、上記保護ガラス９５を透過した光束から所定の周波数成分を除去するために設けられる光学フィルタである。この光学フィルタ９３としては、具体的には、例えば赤外成分等をカットする赤外線（ＩＲ）カットフィルタや、高周波成分を逓減させるローパスフィルタ等が適用される。光学フィルタ９３は、光透過性の高い材質であって略透明薄板形状の部材によって形成されている。上記光学フィルタ９３は、撮像ユニットの撮像素子１１の前面に配設されている。
【０１５５】
撮像素子１１は、上記交換用レンズ鏡筒７の撮像光学系７ｂによって、受光面上に結像された光学像を光電変換する電子部品である。撮像素子１１としては、上述したように、例えばＣＣＤ，ＣＭＯＳ等、従来一般的なカメラ等に使用されているものと同等のものが適用されている。また、撮像基板９１は、上記撮像素子１１や、当該撮像素子１１を駆動する駆動回路等を構成する複数の電子部品を実装する電気基板である。撮像素子１１の受光面は、前面、即ち上記開口部６７ａに向けて配置され、かつ当該撮像素子付中間筒１の前面に取り付けられた交換用レンズ鏡筒７の光軸Ｏ（図１等参照；Ｚ軸）に略直交する面（即ちＸＹ平面）に平行となるように配設されている。これにより、上記撮像基板９１は、上記撮像素子１１の受光面に平行に配設されている。そして、上記撮像ユニットは、その外縁部を上記保持部材９４によって固定保持されている。
【０１５６】
上記撮像ユニットにおける撮像基板９１の後方には、放熱板９６が設けられている。この放熱板９６は、例えばアルミニウム等の金属製板状部材によって構成され、上記保持部材９４に対して例えばビス等を用いて固定されている。この放熱板９６は、放熱及び電磁波遮蔽を目的として配設されている部材である。そのために、上記放熱板９６と上記撮像基板９１との間には、高い熱伝導率を有する素材からなり例えば薄膜シート状若しくはテープ状に形成される放熱部材である放熱シート８３が挟持されている。これにより、撮像基板９１の撮像素子１１等からの発熱は、放熱シート８３を介して上記放熱板９６へと伝達され、さらに保持部材９４を介して前面側の金属部材である前側ボディ６４，マウントリング１２等等の金属部材を介して、当該撮像素子付中間筒１の外部へと放出されるように構成されている。
【０１５７】
さらに、上記放熱板９６の後方には電源電池８１が配設されている。この電源電池８１は、例えばリチウムイオン二次電池等の充電式電池等、一般的な形態の二次電池が適用されている。電源電池８１は、上記前側フレーム６６の内部空間において、背面寄りの部位に形成された電池収納室内に配設される。この電池収納室内には、適用される電源電池８１の外形形状に合わせた電池支持部材８５が設けられている。このように、上記電池収納室内に電池支持部材８５を配設することによって、当該電池収納室内における電源電池８１の収納状態を確保している。
【０１５８】
そして、電池収納室内の背面側の内面には、放熱部材である放熱シート８４が配設されている。この放熱シート８４は、電池収納室内に収納された状態の電源電池８１の背面側の一面と背面フレーム６５の内面との間に挟持されるように配設されている。この構成により、電源電池８１の発熱は、放熱シート８４を介して背面フレーム６５へと伝達され、前側フレーム６６，前側ボディ６４，マウントリング１２等の金属部材を介して、当該撮像素子付中間筒１の外部へと放出されるように構成されている。
【０１５９】
なお、本実施形態の撮像素子付中間筒１においては、電源電池８１を内部固定式として構成しているが、このような形態に限られることはない。例えば、電源電池８１を当該撮像素子付中間筒１に対して着脱し得るように構成することも可能である。その場合においても、電源電池を収納する電池収納室は、前側フレーム６６の内部空間の一部に形成するのが望ましい。
【０１６０】
一方、上記前側フレーム６６の内部空間において、左側面には、図１８に示すように、左側面平板部６６ｅの内面に対して平行に主基板７２が配設されている。この主基板７２には、本撮像素子付中間筒１を統括的に制御するための制御回路を構成するＣＰＵ（Central Processing Unit）７２ａ等の各種の電子部品を実装した電気基板である。この主基板７２の一部は、上述したように、背面フレーム６５の開口孔６５ａに配設されており、これによって、当該主基板７２上に実装された電子部品の一部（メモリカードスロット３４，接続コネクタ２３）を背面側の外部に露呈させている
また、主基板７２と左側面平板部６６ｅの内面との間には、放熱部材である放熱シート８２が挟持されるように配設されている。この放熱シート８２は、上記主基板７２上に実装配置された電子基板のうち、特にＣＰＵ７２ａ等、発熱しやすい電子部品の外面を覆うように配設されている。なお、放熱シート８２は、例えば接着剤等によって接着固定されている。このような構成により、上記ＣＰＵ７２ａの発熱は、放熱シート８２を介して前側フレーム６６へと伝達され、さらに、前側フレーム６６から前側ボディ６４，マウントリング１２等の金属部材を介して、当該撮像素子付中間筒１の外部へと放出されるように構成している。
なお、本実施形態では、メモリカードスロット３４を設け、これに対してメモリカード３４ａを着脱自在とする構成としたが、これに限られることは無く、メモリカード３４ａに替わるメモリ素子を主基板上に実装した形態のメモリ内蔵式の構成としてもよい。この場合には、上記メモリカードスロット３４を廃することができるので、背面フレーム６５の開口孔６５ａを小型化することが可能であり、より堅牢なフレームとすることもできる。
【０１６１】
以上が本実施形態のアクセサリ機器である撮像素子付中間筒１の主な構成である。以上のように構成された撮像素子付中間筒１は、前面に交換用のレンズ鏡筒７を装着すれば、それ自体で撮像装置（カメラ）として機能し得る装置である。
【０１６２】
本実施形態の説明においては、当該撮像素子付中間筒１についてのこれ以上の詳細な図示及び説明は省略するが、上述した構成以外の内部構成としては、例えば電源状態等の当該機器状態を表し得る簡易的な表示ユニットや音声取得用のマイクロフォン等を具備して構成されている。
【０１６３】
また、上記撮像素子付中間筒１は、レンズ鏡筒７を着脱自在としているため、レンズ鏡筒７を取り外した状態では、撮像素子１１の受光面が外部に対して露呈した状態になる。そこで、図示を省略しているが、当該撮像素子付中間筒１からレンズ鏡筒７を取り外した時や、当該撮像素子付中間筒１を単体で持ち運んだり保管したりする時のために、開口１０ａを覆い内部を保護するための保護キャップ等が用意されている。
【０１６４】
以上説明したように上記一実施形態によれば、略円筒形状の本体部１０の内部において、前面側に略円環形状の前側ボディ６４を設け、背面側に略円板形状の背面フレーム６５を設け、前側ボディ６４と背面フレーム６５との間に略直方体形状の前側フレーム６６を設け、これら前側ボディ６４，背面フレーム６５，前側フレーム６６を、金属部材を用いて形成すると共に、それぞれをビス等を用いて固定して一体的な基本構成ユニットを形成している。したがって、当該基本構成ユニットは、外部からの衝撃力等に対して堅牢な構造とすることができる。
【０１６５】
また、前側フレーム６６と背面フレーム６５とによって囲まれる内部空間の内側に、本撮像素子付中間筒１における重要構成部品、例えば電源電池８１や撮像素子１１を含む撮像ユニット及び主基板７２等を配設するようにしたので、これらの重要構成部品を確実に保護することができる。これと同時に、外部から内部へのアクセスが必要となる部品、例えばメモリカードスロット３４や接続コネクタ２３等は、上記背面フレーム６５に設けた開口孔６５ａから外部に露呈するように構成したので、メモリカード３４ａの挿抜操作や、接続コネクタ２３に対する接続ケーブル端子の挿抜操作を容易に行い得ることができる。
【０１６６】
そして、略直方体形状の前側フレーム６６においては、各平板部（６６ｂ，６６ｃ，６６ｄ，６６ｅ）の外面側に、本体部１０の内壁面に沿う円弧形状面を有して形成される各カバー部材（上側カバー６０，下側カバー６１，右側面カバー，左側面カバー）を配設し、本体部１０は、その円弧形状面を覆うように構成し、本体部１０の座屈応力を補強する構成としている。したがって、これにより、本体部１０に対して外部からの衝撃力等を受けた場合に、当該本体部１０の変形等を抑止することができると共に、内部構成部品を確実に保護することができる。
【０１６７】
一方、背面フレーム６５の背面部位に、無線オンオフスイッチ７６を設けると共に、これに作用する操作部材を設けたので、必要に応じて無線通信装置のオンオフ操作を容易に即座に行うことが可能である。したがって、操作性の向上に寄与することができる。
【０１６８】
前側フレーム６６の内部空間に配設されるべきＣＰＵ７２ａを実装した主基板７２とは別に、小型のリヤ基板７３を分離独立させて設け、このリヤ基板７３には、ジャイロセンサ等を実装している。そして、主基板７２とリヤ基板７３との間は接続用フレキシブルプリント基板７４にて電気的な接続を確保し得るように構成している。したがって、これにより、主基板７２を、上記前側フレーム６６の内部空間における適切な部位に配置することができると同時に、リヤ基板７３に実装したジャイロセンサは、上記前側フレーム６６の外部側の適切な部位に配置することができる。
【０１６９】
他方、撮像基板９１（背面側）と放熱板９６との間に放熱シート８３を設け、電源電池８１と背面フレーム６５内面との間に放熱シート８４を設け、主基板７２と左側面平板部６６ｅとの間に放熱シート８２設け、各放熱部材の一面を、内部構成部品のうちの発熱しやすい部品（主基板７２，撮像基板９１上の電子部品や電源電池８１等）に当接させる一方、各放熱部材の他面を上記各金属部材（９６，６５，６６ｅ）に当接するような配置としている。そして、これら各金属部材は、最終的に外部に露呈して配設されるマウントリング１２と接続される構成としている。したがって、これにより、上記各内部構成部品からの発熱は、内部構成部品の内の金属部材を伝達して、容易に外部へと放出させることができる。
【符号の説明】
【０１７０】
１……撮像素子付中間筒，
３……携帯型電子機器，
４……取付用アダプタ，
７……交換用レンズ鏡筒，７ａ……レンズマウント，７ｂ……撮像光学系，
８……撮像システム，
１０……本体部，１０ａ……開口，１０ｂ，１０ｃ……孔，１０ｘ……指標，
１１……撮像素子，
１２……マウントリング，１２ａ……マウント面，１２ｂ……マウント指標，
１３……電気接点，
１４……レンズ取外用操作ボタン，１４ａ……ボタン部，１４ｂ……凸状連動部，
１５……レリーズ操作部材，１５ａ……押圧凸部，１５ｂ……切欠係合部，１５ｃ……スナップフィット部，１５ｄ……位置規制突部，
１６……吊金具装着部，
１７……電源操作部材，
１８……アダプタ取外用操作ボタン，１８ａ……ボタン部，１８ｂ……凸状連動部，
１９……アダプタ装着部，１９ａ……バヨネット爪，１９ｂ……蓋部材，１９ｃ……本体部材，
２０……三脚ネジ穴，
２１ａ……ロック解除検知スイッチ，２１ｂ……基板，
２２……無線オンオフ用操作部材，
２３……接続コネクタ，
２４……第１吊軸，２５……第１操作ボタン付勢ばね，２６……ロックピン付勢ばね，
２７……連動部材，２７ａ……腕部，２８……第２吊軸，２９……第２操作ボタン付勢ばね，
３０……ロックピン，３１……ストッパピン，３２……ストッパピン付勢ばね，３３……Ｅ（イー）リング，
３４……メモリカードスロット，３４ａ……メモリカード，
４０……アダプタ本体，４０ａ……固定部分，
４０ｘ……第１指標，４０ｙ……第２指標，
４１……バヨネット嵌合部，４２……開操作ボタン，４３……第１保持腕，４３ａ……保持部，
４６……支持蓋，４６ａ……ヒンジ腕部，４７……支軸，４８……第２保持腕，４８ａ……先端フック部，
６０……上側カバー，６０ａ……孔部，６０ｂ……突状部，６０ｃ……孔部，６０ｃｂ……空間，６０ｃｃ……係止部，６０ｄ……切欠部，６０ｘ……ビス，
６１……下側カバー，
６４……前側ボディ，
６５……背面フレーム，６５ａ……開口孔，
６６……前側フレーム，６６ａ……前面平板部，６６ｂ……上面平板部，６６ｃ……底面平板部，６６ｄ……右側面平板部，６６ｅ……左側面平板部，６６ｘ……ビス，
６７……開口部材，６７ａ……開口部，
７０……スイッチ基板，７１……レリーズスイッチ，
７２……主基板，７３……リヤ基板，７３ａ……ビス，７４……接続用フレキシブルプリント基板，７５……センサ素子，
７６……無線オンオフスイッチ，７７……スイッチレバー，７７ａ……腕部，
８１……電源電池，８２，８３，８４……放熱シート，８５……電池支持部材，
９１……撮像基板，９３……光学フィルタ，９４……保持部材，９５……保護ガラス，
９６……放熱板，
１００……ストラップ取付用吊金具，１０１……ループ状吊金具，１０２……吊金具本体，１０２ａ……係合爪部，１０２ｂ……頭部，
【図１】
0006384998.tif 000002
【図２】
0006384998.tif 000003
【図３】
0006384998.tif 000004
【図４】
0006384998.tif 000005
【図５】
0006384998.tif 000006
【図６】
0006384998.tif 000007
【図７】
0006384998.tif 000008
【図８】
0006384998.tif 000009
【図９】
0006384998.tif 000010
【図１０】
0006384998.tif 000011
【図１１】
0006384998.tif 000012
【図１２】
0006384998.tif 000013
【図１３】
0006384998.tif 000014
【図１４】
0006384998.tif 000015
【図１５】
0006384998.tif 000016
【図１６】
0006384998.tif 000017
【図１７】
0006384998.tif 000018
【図１８】
0006384998.tif 000019
【図１９】
0006384998.tif 000020